(57)【要約】  パワーの確定方法及び装置が提供される。選択されたSSB及びCSI-RSリソースのうちの任意の1つの変化状況に基づいて、ターゲット受信パワーを上げるかを確定することで、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。
2021525487.tif 000002
【特許請求の範囲】
【請求項１】
パワーの確定装置であって、
選択された同期信号ブロック（SSB）及びチャネル状態情報参照信号（CSI-RS）リソースのうちの任意の1つの変化状況に基づいて、ターゲット受信パワーを上げるかを確定するための第一確定ユニットを含み、
選択された前記SSB又はCSI-RSリソース用于確定ランダムアクセスリソース、前記ターゲット受信パワーはランダムアクセスプリアンブルの送信パワーを確定するために用いられる、装置。
【請求項２】
請求項1に記載の装置であって、
前記第一確定ユニットは、選択されたSSB及びCSI-RSリソースのうちの任意の1つが変わらない場合、前記ターゲット受信パワーを上げると確定する、装置。
【請求項３】
請求項1に記載の装置であって、
前記第一確定ユニットは、
選択されたSSBが変わっている場合、前記ターゲット受信パワーを上げないと確定し、
選択されたSSBが変わっている以外の他の場合、前記ターゲット受信パワーを上げると確定する、装置。
【請求項４】
請求項1に記載の装置であって、
前記第一確定ユニットは、
選択されたSSB及びCSI-RSリソースのうちの任意の1つが変わらない場合、前記ターゲット受信パワーを上げると確定し、
選択されたSSB及びCSI-RSリソースのうちの任意の1つが変わらない場合以外の他の場合、前記ターゲット受信パワーを上げないと確定する、装置。
【請求項５】
請求項1に記載の装置であって、
前記第一確定ユニットは、
選択されたSSB及びCSI-RSリソースのうちの任意の1つが変わっている場合、前記ターゲット受信パワーを上げないと確定し、
選択されたSSB及びCSI-RSリソースのうちの任意の1つが変わっている場合以外の他の場合、前記ターゲット受信パワーを上げると確定する、装置。
【請求項６】
請求項1に記載の装置であって、
前記第一確定ユニットは、
選択されたSSBが変わっている又は選択されたCSI-RSリソースと疑似コロケーションされるSSBが変わっている場合、前記ターゲット受信パワーを上げないと確定し、
選択されたSSBが変わっている及び選択されたCSI-RSリソースと疑似コロケーションされるSSBが変わっている場合以外の他の場合、前記ターゲット受信パワーを上げると確定する、装置。
【請求項７】
請求項1に記載の装置であって、
第二確定ユニットをさらに含み、それは、現在に選択されたSSB又はCSI-RSリソースと、前回選択されたSSB又はCSI-RSリソースとの比較結果、或いは、現在に選択されたSSB又はCSI-RSリソースと、その前に選択されたすべてのSSB及び／又はCSI-RSリソースとの比較結果に基づいて、前記選択されたSSB及びCSI-RSリソースのうちの任意の1つの変化状況を確定する、装置。
【請求項８】
請求項1に記載の装置であって、
計数ユニットをさらに含み、それは、前記ターゲット受信パワーを上げると確定した場合、SSB及びCSI-RSリソースが共用するパワーランピングに関するカウンターを1増やし、又は、SSB専用のパワーランピングに関するカウンター又はCSI-RSリソース専用のパワーランピングに関するカウンターを1増やす、装置。
【請求項９】
請求項1に記載の装置であって、
計算ユニットをさらに含み、それは、パワーランピングに関するカウンターの値と所定値との差と、所定ステップ長との積、ターゲット受信パワー初期値、及びプリアンブルパラメータに基づいて、前記ターゲット受信パワーを計算する、装置。
【請求項１０】
請求項9に記載の装置であって、
SSB専用のパワーランピングに関するカウンター及び／又はCSI-RSリソース専用のパワーランピングに関するカウンターを使用する場合、前記所定値は、使用するリソース専用のパワーランピングに関するカウンターの数、SSB専用のパワーランピングに関するカウンターの初期値、及び／又はCSI-RSリソース専用のパワーランピングに関するカウンターの初期値に基づいて確定される、装置。
【請求項１１】
請求項9に記載の装置であって、
前記計算ユニットは、パワーランピングに関するカウンターの値と所定値との差と、SSB又はCSI-RSリソース専用又は両者が共用する所定ステップ長との積、SSB又はCSI-RSリソース専用又は両者が共用するターゲット受信パワー初期値、及びSSB又はCSI-RSリソース専用又は両者が共用するプリアンブルパラメータに基づいて、前記ターゲット受信パワーを計算する、装置。
【請求項１２】
請求項1に記載の装置であって、
第三確定ユニットをさらに含み、それは、空間領域送信フィルターを変えるかに基づいて、前記パワーランピングに関するカウンターのサスペンド指示を送信するかを確定し、
前記第一確定ユニットは、選択されたSSB及びCSI-RSリソースのうちの任意の1つの変化状況、パワーランピングに関するカウンターのサスペンド指示を受信したかに基づいて、ターゲット受信パワーを上げるかを確定する、装置。
【請求項１３】
請求項12に記載の装置であって、
送信ユニットをさらに含み、
ランダムアクセスプリアンブルの再送の場合、又は、ランダムアクセスプリアンブルの初めての伝送又は再送の場合、
MAC層がランダムアクセスプリアンブル伝送プロシージャの実行を開始する前に、
前記送信ユニットは、MAC層に、選択されたSSBのインデックス又は選択されたCSI-RSリソースのID又は選択されたCSI-RSリソースと疑似コロケーションされるSSBのインデックスを物理層に送信させ、又は、
前記送信ユニットは、MAC層に、選択されたSSB又はCSI-RSリソースに対応するランダムアクセスリソース及びランダムアクセスプリアンブルのインデックスを物理層に送信させる、装置。
【請求項１４】
パワーの確定装置であって、
ユーザ装置に、SSB及びCSI-RSリソースが共用するパワーランピングに関するカウンター、又は、SSB専用のパワーランピングに関するカウンター及びCSI-RSリソース専用のパワーランピングに関するカウンターを設定するための第一設定ユニット；及び／又は
ユーザ装置に、ターゲット受信パワーを計算するためのSSB及びCSI-RSリソースが共用するパラメータ、又は、ターゲット受信パワーを計算するためのSSB専用のパラメータ及びCSI-RSリソース専用のパラメータを設定するための第二設定ユニットを含む、装置。
【請求項１５】
請求項14に記載の装置であって、
前記ターゲット受信パワーを計算するためのSSB専用のパラメータは以下のパラメータのうちの少なくとも1つを含み、即ち、SSB専用の所定ステップ長、SSB専用のターゲット受信パワー初期値、及びSSB専用のプリアンブルパラメータであり、
前記ターゲット受信パワーを計算するためのCSI-RSリソース専用のパラメータは以下パラメータのうちの少なくとも1つを含み、即ち、CSI-RSリソース専用の所定ステップ長、CSI-RSリソース専用のターゲット受信パワー初期値、及びCSI-RSリソース専用のプリアンブルパラメータである、装置。
【請求項１６】
請求項14に記載の装置であって、
第三設定ユニットをさらに含み、それは、ユーザ装置に、選択されたCSI-RSリソースが変わっているかの確定時にCSI-RSリソースとSSBの疑似コロケーションの関係を考慮するかの規則、及び／又は、ユーザ装置に、CSI-RSリソースとSSBの疑似コロケーションの関係を考慮した場合の選択されたCSI-RSリソースが変わっているかの確定の規則及び／又はCSI-RSリソースとSSBの疑似コロケーションの関係を設定する、装置。
【請求項１７】
請求項16に記載の装置であって、
前記疑似コロケーションの関係がRRC専用シグナリングにより設定される、装置。
【請求項１８】
請求項16に記載の装置であって、
前記疑似コロケーションの関係が測定対象の設定により設定され、及び／又は
前記疑似コロケーションの関係が候補ビームと一緒に設定される、装置。
【請求項１９】
請求項16に記載の装置であって、
前記CSI-RSリソースとSSBの疑似コロケーションの関係は、
前記CSI-RSリソースが任意のSSBと疑似コロケーションされ；又は、
前記CSI-RSリソースと、すべてのSSBとの間に疑似コロケーションの関係が存在せず；又は、
前記CSI-RSリソースが事前定義又は事前設定された少なくとも1つのSSBと疑似コロケーションされることを含む、装置。
【請求項２０】
請求項1に記載の装置を含む、ユーザ装置。
【発明の詳細な説明】
【技術分野】
【０００１】
本発明は、通信分野に関し、特に、パワーの確定方法及び装置に関する。
【背景技術】
【０００２】
ランダムアクセス（RA、Random  Access）プロシージャでは、ユーザ装置（UE、User  Equipment）がネットワーク側にメッセージ1（MSG1）を送信してランダムアクセスリクエストを送り、ネットワーク側がブロードキャストの方式でメッセージ2（MSG2）を送信する。MSG2では、ネットワーク側が、ランダムアクセスレスポンス（RAR、Random  Access  Response）を成功裏に受信していないユーザ装置が採用するバックオフ時間を指示する。
【０００３】
また、ランダムアクセスプロシージャは、競合ベースのランダムアクセス（CBRA、Contention  Based  Random  Access）と非競合的ランダムアクセスプロシージャ（CFRA、Contention-Free  Random  Access）に分けることができる。CBRAでは、UEがランダムアクセスプリアンブル（Random  Access  Preamble）をシェアするので、複数のUEの間にランダムアクセス衝突が生じる可能性がある。また、CFRAでは、ネットワーク装置がUEのためにランダムアクセスプリアンブルを指定することで、他のUEのランダムアクセスプロシージャとの衝突を避けることができる。
【０００４】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００５】
新無線（NR、New  Radio）システムの研究では、媒体アクセス制御（MAC、Media  Access  Control）層において、ランダムアクセス（RA、Random  Access）プロシージャが次のようなステップを含んでも良く、即ち、
ステップ1：ランダムプロシージャを開始し；
ステップ2：設定済みの同期信号ブロック（SSB、Synchronizing  Signal  Block）及び／又はチャネル状態情報参照信号（CSI-RS、Channel  State  Information  Reference  Signal）リソースの無線チャネル品質並びに対応する専用リソース／プリアンブルがあるかなどのファクターに基づいて、1つのSSB又はCSI-RSリソースを選択し、或いは、1つのSSBをランダムに選択し；
ステップ3：選択済みのSSB又はCSI-RSリソースに対応するRAリソースを選択及び／又は使用して、選択済みのSSB又はCSI-RSリソースに対応するランダムアクセスプリアンブルを送信し；
ステップ4：ランダムアクセスレスポンス（RAR、Random  Access  Response）を成功裏に受信しているUEについて、CBRAの場合、衝突解決時にRAが完了し、衝突未解決時にステップ2に戻って再びリソースを選択してランダムアクセスプリアンブルを送信し、CFRAの場合、RAが完了し、また、RARを成功裏に受信していないUEについて、ステップ2に戻って再びリソースを選択してランダムアクセスプリアンブルを送信する。
【０００６】
上述のステップ3を毎回実行するときに、MAC層は、下位層に今回のランダムアクセスプリアンブルの送信に対応するターゲット受信パワーを指示することにより、物理層に、対応するランダムアクセスプリアンブルの送信パワーを計算させることができる。
【０００７】
再びランダムアクセスプリアンブルを送信する場合、パワーランピング（ramping）メカニズムが原因で、MAC層が下位層に指示するターゲット受信パワーはゆっくり上昇する。このように、上りリンク再送は、前回の伝送のパワーに等しい又はそれよりも少し高いパワーで送信することができる。これは、ネットワーク側の成功受信に有利であるのみならず、他のUEに大きな干渉を与えることもない。なお、パワーランピングに関するカウンター（即ち、PREAMBLE_POWER_RAMPING_COUNTERである）を用いて、前回の伝送時に比べて今回の伝送時にターゲット受信パワーを増加させるかを確定する。
【０００８】
現在のメカニズムに基づいて、リソース選択の角度から言えば、選択されたSSBが不変の場合にのみ、パワーランピングに関するカウンターを1プラスし、このようにして、下位層に指示するターゲット受信パワーが増加する。他の場合、該カウンターは変わらない。
【０００９】
また、現在のメカニズムに基づいて、パワーランピングに関するカウンターを1プラスするかを決定するときに、MAC層はさらに、物理層からカウンターサスペンド（suspend（一時中止））指示を受信したかを考慮する必要もある。該指示を受信したときに、パワーランピングに関するカウンターは変わらない。そのうち、物理ランダムアクセスチャネル（PRACH、Physical  Random  Access  Channel）の再送を行う前に、UEが空間領域送信フィルター（spatial  domain  transmission  filter）を変えた場合、物理層は、MAC層に、パワーランピングに関するカウンターをサスペンドすることを通知し、また、カウンターサスペンド指示を送信する。
【００１０】
よって、現在のメカニズムに従ってパワーランピングを行うかを決定する場合、次のような問題が存在し、即ち、現在のメカニズムではSSBが選択された場合のみを考慮している。そのため、今回のランダムアクセスリソース選択プロシージャであれ、前回のランダムアクセスリソース選択プロシージャであれ、CSI-RSリソースが選択されれば、パワーランピングをトリガーすることがないので、今回のランダムアクセスプリアンブルの送信時のパワーはその前と同じである。極端の場合、ランダムアクセスプリアンブルを再送する度にCSI-RSリソースが選択されれば、ランダムアクセスプリアンブルの再送プロシージャではパワーランピングメカニズムを応用することができない。これにより、無駄な再送が発生し、UEの電力消費が増加し、ネットワーク側がランダムアクセスプリアンブルを正しく受信できなくなり、ランダムアクセスの成功率が低下する可能性がある。
【００１１】
本発明の実施例は、パワーの確定方法及び装置を提供する。選択済みのSSB及びCSI-RSリソースのうちの任意の1つの変化状況に基づいて、ターゲット受信パワーを上げるかを確定する。これにより、選択されたCSI-RSリソースを考慮しているから、必要な場合にパワーランピングを行い、無駄な再送を避けることで、ランダムアクセスの成功率を向上させ、UEのパワー消費を低減することができる。
【課題を解決するための手段】
【００１２】
本発明の実施例の第一側面によれば、パワーの確定装置が提供され、前記装置は、
選択された同期信号ブロック（SSB）及びチャネル状態情報参照信号（CSI-RS）リソースのうちの任意の1つの変化状況に基づいて、ターゲット受信パワーを上げるかを確定するための第一確定ユニットを含み、
そのうち、選択された前記SSB又はCSI-RSリソースはランダムアクセス（RA）リソースを確定するために用いられ、前記ターゲット受信パワーはランダムアクセスプリアンブルの送信パワーを確定するために用いられる。
【００１３】
本発明の実施例の第二側面によれば、パワーの確定装置が提供され、前記装置は、
ユーザ装置に、SSB及びCSI-RSリソースが共用するパワーランピングに関するカウンター、又は、SSB専用のパワーランピングに関するカウンター及びCSI-RSリソース専用のパワーランピングに関するカウンターを設定するための第一設定ユニット；及び／又は
ユーザ装置に、ターゲット受信パワーを計算するためのSSB及びCSI-RSリソースが共用するパラメータ、又は、ターゲット受信パワーを計算するためのSSB専用のパラメータ及びCSI-RSリソース専用のパラメータを設定するための第二設定ユニットを含む。
【００１４】
本発明の実施例の第三側面によれば、ユーザ装置が提供され、前記ユーザ装置は、本発明の実施例の第一側面に記載の装置を含む。
【００１５】
本発明の実施例の第四側面によれば、ネットワーク装置が提供され、前記ネットワーク装置は、本発明の実施例の第二側面に記載の装置を含む。
【００１６】
本発明の実施例の第五側面によれば、通信システムが提供され、前記通信システムは、本発明の実施例の第三側面に記載のユーザ装置及び本発明の実施例の第四側面に記載のネットワーク装置を含む。
【００１７】
本発明の実施例の第六側面によれば、パワーの確定方法が提供され、前記方法は、
選択された同期信号ブロック（SSB）及びチャネル状態情報参照信号（CSI-RS）リソースのうちの任意の1つの変化状況に基づいて、ターゲット受信パワーを上げるかを確定することを含み、
そのうち、選択された前記SSB又はCSI-RSリソースはランダムアクセス（RA）リソースを確定するために用いられ、前記ターゲット受信パワーはランダムアクセスプリアンブルの送信パワーを確定するために用いられる。
【００１８】
本発明の実施例の第七側面によれば、パワーの確定方法が提供され、前記方法は、
ユーザ装置に、SSB及びCSI-RSリソースが共用するパワーランピングに関するカウンター、又は、SSB専用のパワーランピングに関するカウンター及びCSI-RSリソース専用のパワーランピングに関するカウンターを設定し；及び／又は
ユーザ装置に、ターゲット受信パワーを計算するためのSSB及びCSI-RSリソースが共用するパラメータ、又は、ターゲット受信パワーを計算するためのSSB専用のパラメータ及びCSI-RSリソース専用のパラメータを設定することを含む。
【００１９】
本発明の実施例の第八側面によれば、コンピュータ可読プログラムが提供され、そのうち、パワーの確定装置又はユーザ装置の中で前記プログラムを実行するときに、前記プログラムは、前記パワーの確定装置又はユーザ装置に、本発明の実施例の第六側面に記載のパワーの確定方法を実行させる。
【００２０】
本発明の実施例の第九側面によれば、コンピュータ可読プログラムを記憶している記憶媒体が提供され、そのうち、前記コンピュータ可読プログラムは、前記パワーの確定装置又はユーザ装置に、本発明の実施例の第六側面に記載のパワーの確定方法を実行させる。
【００２１】
本発明の実施例の第十側面によれば、コンピュータ可読プログラムが提供され、そのうち、パワーの確定装置又はネットワーク装置の中で前記プログラムを実行するときに、前記プログラムは、前記パワーの確定装置又はネットワーク装置に、本発明の実施例の第七側面に記載のパワーの確定方法を実行させる。
【００２２】
本発明の実施例の第十一側面によれば、コンピュータ可読プログラムを記憶している記憶媒体が提供され、そのうち、前記コンピュータ可読プログラムは、前記パワーの確定装置又はネットワーク装置に、本発明の実施例の第七側面に記載のパワーの確定方法を実行させる。
【００２３】
本発明の有益な効果は次の通りであり、即ち、選択されたSSB及びCSI-RSリソースのうちの任意の1つの変化状況に基づいて、ターゲット受信パワーを上げるかを確定することで、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。
【００２４】
なお、「含む／有する」のような用語は、本明細書に使用されるときに、特徴、要素、ステップ、又はアセンブルの存在を指すが、1つ又は複数の他の特徴、要素、ステップ、又はアセンブリの存在又は付加を排除しないということも指す。
【図面の簡単な説明】
【００２５】
含まれている図面は、本発明の実施例への更なる理解を提供するために用いられ、これらの図面は、本明細書の一部を構成し、本発明の実施例を例示し、文字記載とともに本発明の原理を説明するために用いられる。また、明らかのように、以下に記載される図面は、本発明の幾つかの実施例を示すためのものに過ぎず、当業者は、創造性のある労働をせずに、これらの図面に基づいて他の図面を得ることもできる。
【図１】本発明の実施例における通信システムを示す図である。
【図２】本発明の実施例1におけるパワーの確定方法を示す図である。
【図３】本発明の実施例1におけるパワーの確定方法を示すもう1つの図である。
【図４】本発明の実施例2におけるパワーの確定方法を示す図である。
【図５】本発明の実施例3におけるパワーの確定方法を示す図である。
【図６】本発明の実施例4におけるパワーの確定方法を示す図である。
【図７】本発明の実施例5におけるパワーの確定方法を示す図である。
【図８】本発明の実施例6におけるパワーの確定方法を示す図である。
【図９】本発明の実施例7におけるパワーの確定方法を示す図である。
【図１０】本発明の実施例7におけるパワーの確定方法を示すもう1つの図である。
【図１１】本発明の実施例8におけるパワーの確定装置を示す図である。
【図１２】本発明の実施例8におけるパワーの確定装置を示すもう1つの図である。
【図１３】本発明の実施例9におけるパワーの確定装置を示す図である。
【図１４】本発明の実施例10におけるユーザ装置のシステム構成を示すブロック図である。
【図１５】本発明の実施例11におけるネットワーク装置の構成を示すブロック図である。
【発明を実施するための形態】
【００２６】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載される実施形態に限定されず、即ち、本発明は、添付した特許請求の範囲内のすべての変更、変形及び代替によるものも含むということである。
【００２７】
本発明の実施例では、用語「通信ネットワーク」又は「無線通信ネットワーク」は、次のような任意の通信規格に準ずるネットワークを指しても良く、例えば、LTE（LTE、Long  Term  Evolution）、LTE-A（LTE-Advanced）、WCDMA(登録商標)（Wideband  Code  Division  Multiple  Access）、HSPA（High-Speed  Packet  Access）などである。
【００２８】
また、通信システムにおける装置間の通信は、任意の段階の通信プロトコルに従って行われても良く、例えば、次のような通信プロトコルを含んでも良いが、それに限定されず、即ち、1G（generation）、2G、2.5G、2.75G、3G、4G、4.5G及び将来の5G、新無線（NR、New  Radio）など、及び／又は、その他の従来の又は将来に開発される通信プロトコルである。
【００２９】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（BS、Base  Station）、アクセスポイント（AP、Access  Point）、送受信ポイント（TRP、Transmission  Reception  Point）、ブロードキャスト送信機、モバイル管理エンティティ（MME、Mobile  Management  Entity）、ネットワークゲートウェイ、サーバー、無線ネットワーク制御器（RNC、Radio  Network  Controller）、基地局制御器（BSC、Base  Station  Controller）などである。
【００３０】
そのうち、基地局は、次のようなものを含んでも良いが、それに限定されず、即ち、ノードB（NodeB又はNB）、進化ノードB（eNodeB又はeNB）及び5G基地局（gNB）などであり、さらにRRH（Remote  Radio  Head）、RRU（Remote  Radio  Unit）、リレー（relay）又は低パワーノード（例えば、femto、picoなど）を含んでも良い。また、用語「基地局」は、それらの一部又はすべての機能を含んでも良く、各基地局は、特定の地理の領域に対して通信カバレッジを提供することができる。用語「セル」が指すのは、基地局及び／又はそのカバーする領域であっても良い、これは、該用語のコンテキストによるものである。
【００３１】
本発明の実施例では、用語「ユーザ装置」（UE、User  Equipment）又は「端末装置」（TE、Terminal  Equipment）は、例えば、ネットワーク装置により通信ネットワークにアクセスし、且つネットワークからのサービスを受ける装置を指す。ユーザ装置は、固定したもの又は移動するものであっても良く、また、移動ステーション（MS、Mobile  Station）、端末、加入者ステーション（SS、Subscriber  Station）、アクセス端末（AT、Access  Terminal）、ステーションなどとも称される。
【００３２】
そのうち、ユーザ装置は、次のようなものを含んでも良いが、それに限定されず、例えば、携帯電話（Cellular  Phone）、PDA（Personaｌ  Digital  Assistant）、無線モデム、無線通信装置、携帯装置、マシンタイプ通信装置、ラップトップコンピュータ、コードレス電話機、スマートフォン、スマートウォッチ、デジタルカメラなどである。
【００３３】
また、例えば、IoT（Internet  of  Things）などのシナリオでは、ユーザ装置は、さらに、監視又は測定を行う機器又は装置であっても良く、例えば、次のようなものを含んでも良いが、それに限定されず、即ち、マシンタイプ通信（MTC、Machine  Type  Communication）端末、車載通信端末、D2D（Device  to  Device）端末、M2M（Machine  to  Machine）端末などである。
【００３４】
以下、例を挙げて本発明の実施例のシナリオについて説明を行うが、本発明は、これに限られない。
【００３５】
図1は、本発明の実施例における通信システムを示す図であり、端末装置及びネットワーク装置を例とする場合を示している。図1に示すように、通信システム100は、ネットワーク装置101及び端末装置102を含んでも良い。なお、便宜のため、図1では、1つのみの端末装置及び1つのみのネットワーク装置を例にとって説明を行うが、本発明の実施例は、これに限定されない。
【００３６】
本発明の実施例では、ネットワーク装置101と端末装置102との間は、従来のトラフィック又は将来実施可能なトラフィックが行われても良い。これらのトラフィックは、例えば、eMBB（enhanced  Mobile  Broadband）、mMTC（massive  Machine  Type  Communication）、URLLC（Ultra-Reliable  and  Low-Latency  Communication）などを含むが、これに限定されない。
【実施例１】
【００３７】
本発明の実施例はパワーの確定方法を提供し、該方法はユーザ装置側に応用される。
【００３８】
図2は本発明の実施例1におけるパワーの確定方法を示す図である。図2に示すように、該方法は以下のようなステップを含む。
【００３９】
ステップ201：選択された同期信号ブロック（SSB）及びチャネル状態情報参照信号（CSI-RS）リソースのうちの任意の1つの変化状況に基づいて、ターゲット受信パワーを上げるかを確定する。
【００４０】
そのうち、選択された該SSB又はCSI-RSリソースはランダムアクセス（RA）リソースを確定するために用いられ、該ターゲット受信パワーはランダムアクセスプリアンブルの送信パワーを確定するために用いられる。
【００４１】
このように、選択されたSSB及びCSI-RSリソースのうちの任意の1つの変化状況に基づいて、ターゲット受信パワーを上げるかを確定することで、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。
【００４２】
本実施例では、選択されたSSB又はCSI-RSリソースは、例えば、設定されたSSB及び／又はCSI-RSリソースの無線チャネル品質並びに対応する専用リソース／プリアンブルがあるかなどのファクターに基づいて、選択された1つのSSB又はCSI-RSリソース、又は、ランダムに選択された1つのSSBである。
【００４３】
本実施例では、SSB又はCSI-RSリソースを選択する目的は、選択された該SSB又はCSI-RSリソースに対応するRAリソース及びランダムアクセスプリアンブルのインデックスを確定することにあり、ユーザ装置は、該RAリソースを使用して、該インデックスが指示するランダムアクセスプリアンブルを送信することができる。
【００４４】
本実施例では、SSB又はCSI-RSリソースと、RAリソース及びランダムアクセスプリアンブルのインデックスとはマッピング関係を有しても良く、例えば、該マッピング関係は、ネットワーク装置側で予めユーザ装置に設定したものであっても良い。
【００４５】
本実施例では、該ターゲット受信パワーはランダムアクセスプリアンブルの送信パワー、即ち、ユーザ装置がランダムアクセスプリアンブルを送信するパワーを確定するために用いられる。
【００４６】
例えば、ユーザ装置は、ネットワーク装置側で設定された最大パワーPCMAX,f,c（i）と（ターゲット受信パワー＋パスロス）との両者のうちの比較的小さい値を用いて、ランダムアクセスプリアンブルを送信する。そのうち、ターゲット受信パワーは、MAC層により通知することができ、該パスロスは、システム情報が提供する参照信号パワーから上位層フィルタリング後の参照信号受信パワー（RSRP、Reference  Signal  Receiving  Power）値をマイナスすることに得られる。
【００４７】
本実施例では、選択されたSSB及びCSI-RSリソースのうちの任意の1つの変化状況は次のようなことを含んでも良く、即ち、選択されたリソースの種類の変化、及び／又は、選択されたリソースにより設定された具体的な物理リソースの変化である。
【００４８】
本実施例では、選択されたSSB及びCSI-RSリソースのうちの任意の1つの変化状況を確定するときに、現在に選択されたSSB又はCSI-RSリソースと、前回の選択結果との比較を行っても良く、その次に選択されたSSB又はCSI-RSと、その前のすべての選択結果との比較を行っても良い。
【００４９】
例えば、該方法はさらに以下のようなステップを含んでも良い。
【００５０】
ステップ202：現在に選択されたSSB又はCSI-RSリソースと、前回選択されたSSB又はCSI-RSリソースとの比較結果に基づいて、又は、現在に選択されたSSB又はCSI-RSリソースと、その前に選択されたSSB及び／又はCSI-RSリソースとの比較結果に基づいて、選択されたSSB及びCSI-RSリソースのうちの任意の1つの変化状況を確定する。
【００５１】
例えば、現在に選択されたSSB又はCSI-RSリソースの種類及び設定された物理リソースと、前回選択されたリソースの種類及び設定された物理リソースとの比較結果に基づいて、又は、現在に選択されたSSB又はCSI-RSリソースの種類及び設定された物理リソースと、その前に選択されたすべてのリソースの種類及び設定された物理リソースとの比較結果に基づいて、選択されたSSB及びCSI-RSリソースのうちの任意の1つの変化状況を確定する。
【００５２】
本実施例では、選択されたSSB又はCSI-RSリソースの種類とは、選択されたのがSSBであるか、それとも、CSI-RSリソースであるかを指し、即ち、SSB及びCSI-RSリソースは異なる種類に属するリソースである。
【００５３】
本実施例では、設定された物理リソースとは、SSB又はCSI-RSリソースにより具体的に設定された物理リソースを指し、例えば、選択された該SSBにより設定された物理リソースがどの周波数、及び／又は、どのシンボル又はスロットであるかを指し、選択された該CSI-RSリソースにより設定された物理リソースがどの周波数、及び／又は、どのシンボル又はスロットであるかを指す。
【００５４】
本実施例では、SSB又はCSI-RSリソースにより設定された物理リソースが同じであるかの判断は、SSBのインデックス又はCSI-RSリソースのIDが同じであるかに基づいて判断しても良く、言い換えれば、異なるインデックスのSSBは、異なる物理リソースを有するように設定されており、異なるIDのCSI-RSリソースも、異なる物理リソースを有するように設定されている。
【００５５】
本実施例では、異なるインデックスのSSBを異なるSSBと略称し、異なるIDのCSI-RSリソースを異なるCSI-RSリソースと略称する。言い換えれば、異なるSSBは、異なる物理リソースを有するように設定されており、異なるCSI-RSリソースも、異なる物理リソースを有するように設定されている。
【００５６】
以下、ステップ202で如何に比較結果に基づいて、選択されたSSB及びCSI-RSリソースのうちの任意の1つの変化状況を確定するかについて例示的に説明する。
【００５７】
まず、現在に選択されたがSSBの場合について説明する。
【００５８】
例えば、現在に選択されたのがSSBであり、前回選択されたのがSSBであり、且つ2つのSSBが同じであるときに、選択されたSSBが変わらないと確定し；
例えば、現在に選択されたのがSSBであり、且つ現在に選択されたSSBと、その前に選択されたすべてのSSBのうちの1つのSSBとが同じであるときに、選択されたSSBが変わらないと確定し；
例えば、現在に選択されたのがSSBであり、前回選択されたのがCSI-RSリソースであり、且つ現在に選択されたSSBと、前回選択されたCSI-RSリソースと疑似コロケーション（quasi  co-location）されるSSBとが同じであるときに、選択されたSSBが変わらないと確定し；
例えば、現在に選択されたのがSSBであり、且つ現在に選択されたSSBと、その前に選択されたすべてのCSI-RSのうちの1つのCSI-RSリソースと疑似コロケーションされるSSBとが同じであるときに、選択されたSSBが変わらないと確定する。
【００５９】
例えば、現在に選択されたのがSSBであるときに、上述の例以外の他の場合について、選択されたSSBが変わっていると確定しても良い。
【００６０】
次に、現在に選択されたのがCSI-RSリソースである場合について説明する。
【００６１】
例えば、現在に選択されたのがCSI-RSリソースであり、前回選択されたのがCSI-RSリソースであり、且つこの2つのCSI-RSリソースが同じであるときに、選択されたCSI-RSリソースが変わらないと確定し；
例えば、現在に選択されたのがCSI-RSリソースであり、且つ現在に選択されたCSI-RSリソースと、その前に選択されたすべてのCSI-RSリソースのうちの1つのCSI-RSリソースとが同じであるときに、選択されたCSI-RSが変わらないと確定し；
例えば、現在に選択されたのがCSI-RSリソースであり、前回選択されたのがSSBリソースであり、且つ現在に選択されたCSI-RSリソースと疑似コロケーションされるSSBと、前回選択されたSSBとが同じであるときに、選択されたCSI-RSリソースが変わらないと確定し；
例えば、現在に選択されたのがCSI-RSリソースであるときに、上述の例以外の他の場合について、選択されたCSI-RSリソースが変わっていると確定しても良い。
【００６２】
本実施例では、幾つかの場合について、CSI-RSリソースとSSBの疑似コロケーションの関係を考慮しており、又は、該疑似コロケーションの関係を考慮しないときに、選択されたCSI-RSリソースが変わっているかを確定する結果が異なる可能性がある。
【００６３】
例えば、現在に選択されたのがCSI-RSリソースであり、前回選択されたのもCSI-RSリソースであり、この2つのCSI-RSリソースが異なるが、現在に選択されたCSI-RSリソースと疑似コロケーションされるSSBと、前回選択されたCSI-RSリソースと疑似コロケーションされるSSBとが同じである場合、CSI-RSリソースとSSBの疑似コロケーションの関係を考慮しているときに、選択されたCSI-RSリソースが変わらないと確定しても良く、又は、選択されたCSI-RSリソースが変わっていると確定しても良く、また、CSI-RSリソースとSSBの疑似コロケーションの関係を考慮しないときに、選択されたCSI-RSリソースが変わっていると確定しても良い。
【００６４】
また、例えば、現在に選択されたのがCSI-RSリソースであり、現在に選択されたCSI-RSリソースと、その前に選択されたすべてのCSI-RSリソースとがすべて異なるが、現在に選択されたCSI-RSリソースと疑似コロケーションされるSSBと、その前に選択されたすべてのCSI-RSリソースのうちの少なくとも1つのCSI-RSリソースと疑似コロケーションされるSSBとが同じである場合、CSI-RSリソースとSSBの疑似コロケーションの関係を考慮しているときに、選択されたCSI-RSリソースが変わらないと確定しても良く、又は、選択されたCSI-RSリソースが変わっていると確定しても良く、また、CSI-RSリソースとSSBの疑似コロケーションの関係を考慮しないときに、選択されたCSI-RSリソースが変わっていると確定しても良い。
【００６５】
本実施例では、以上に挙げた2つの場合について、選択されたCSI-RSリソースが変わっているかを確定するときに、CSI-RSリソースとSSBの疑似コロケーションの関係を考慮するか、及び、該疑似コロケーションの関係を考慮しているときの確定の規則（ルール）が事前定義されても良く、又は、ネットワーク装置側で事前設定されても良い。
【００６６】
以下、上述のステップ202及びステップ201に対応して、選択されたSSB及びCSI-RSリソースのうちの任意の1つの変化状況に基づいて、ターゲット受信パワーを上げるかを確定する具体的な方式について例示的に説明する。
【００６７】
例えば、選択されたSSB及びCSI-RSリソースのうちの何れか1つが変わらない場合、前記ターゲット受信パワーを上げると確定する。
【００６８】
このように、選択されたSSB又はCSI-RSリソースが変わらない場合にランダムアクセスプリアンブルの再送の送信パワーを上げることにより、パワーランピングメカニズムを合理的に利用し、ランダムアクセスの成功率を向上させることができる。
【００６９】
以下、例示的な方案により、ターゲット受信パワーを上げる及びターゲット受信パワーを上げないことを確定するためのそれぞれの条件を与える。
【００７０】
例えば、方案1）選択されたSSBが変わっている場合、ターゲット受信パワーを上げないと確定し、選択されたSSBが変わっている場合以外の他の場合、ターゲット受信パワーを上げると確定する。
【００７１】
このように、現在にCSI-RSリソースが選択されており且つ変わらない場合、合理的な処理、即ち、パワーランピングを行うことができる。
【００７２】
例えば、方案2）選択されたSSB及びCSI-RSリソースのうちの何れか1つが変わらない場合、ターゲット受信パワーを上げると確定し、選択されたSSB及びCSI-RSリソースのうちの何れか1つが変わらない場合以外の他の場合、ターゲット受信パワーを上げないと確定する。
【００７３】
このように、現在にその前と同一のリソースが選択された場合、例えば、SSB又はCSI-RSリソースが選択された場合、合理的な処理を行うことができる。
【００７４】
例えば、方案3）選択されたSSB及びCSI-RSリソースのうちの何れか1つが変わっている場合、ターゲット受信パワーを上げないと確定し、選択されたSSB及びCSI-RSリソースのうちの何れか1つが変わっている場合以外の他の場合、ターゲット受信パワーを上げると確定する。
【００７５】
このように、現在にその前と同一のリソースが選択された場合、例えば、SSB又はCSI-RSリソースが選択された場合、合理的な処理を行うことができる。
【００７６】
例えば、方案4）選択されたSSBが変わっている又は選択されたCSI-RSリソースと疑似コロケーションされるSSBが変わっている場合、ターゲット受信パワーを上げないと確定し、選択されたSSBが変わっている及び選択されたCSI-RSリソースと疑似コロケーションされるSSBが変わっている場合以外の他の場合、ターゲット受信パワーを上げると確定する。
【００７７】
このように、CSI-RSリソースとSSBの疑似コロケーションの関係を考慮しているため、現在にどのリソースが選択されても、合理的な処理を行うことができる。
【００７８】
本実施例では、方案2）について、例えば、選択されたSSBの種類が変わっている又は選択されたCSI-RSリソースの種類が変わっている場合、或いは、選択されたSSB又はCSI-RSリソースの種類が変わらないが、選択された物理リソースが変わっている場合、ターゲット受信パワーを上げないと確定する。
【００７９】
本実施例では、選択されたSSB又はCSI-RSリソースの種類とは、選択されたのがSSBであるか、それとも、CSI-RSリソースであるかを指し、即ち、SSB及びCSI-RSリソースは異なる種類に属するリソースである。例えば、現在に選択されたのがSSBであり、前回選択されたのがCSI-RSリソースであれば、選択されたSSB種類は変わっている。
【００８０】
本実施例では、設定された物理リソースとは、SSB又はCSI-RSリソースにより具体的に設定された物理リソースを指し、例えば、選択された該SSBにより設定された物理リソースがどの周波数、及び／又は、どのシンボル又はスロットであるかを指し、選択された該CSI-RSリソースにより設定された物理リソースがどの周波数、及び／又は、どのシンボル又はスロットであるかを指す。例えば、現在に選択されたのがSSBであり、前回選択されたのもSSBであるが、2回選択されたSSBにより設定された物理リソースが異なる場合、選択されたSSBの種類は変わらないが、物理リソースは変わっている。
【００８１】
このように、選択されたリソースの種類が変わっている、又は、選択されたリソースの種類が変わらないが、物理リソースが変わっている場合、パワーを上げないことで、ユーザ装置の不必要なパワー消費を低減することができる。
【００８２】
ステップ201では、選択されたSSB及びCSI-RSリソースのうちの任意の1つの変化状況に基づいて、ターゲット受信パワーを上げるかを確定し、そして、ターゲット受信パワーを上げるかを確定した後に、該方法はさらに以下のようなステップを含んでも良い。
【００８３】
ステップ203：ターゲット受信パワーを上げるかに基づいて、パワーランピングに関するカウンターを1プラスかを確定し；
ステップ204：ターゲット受信パワーを上げると確定した場合、パワーランピングに関するカウンターを1プラスし；及び
ステップ205：ターゲット受信パワーを上げないと確定した場合、パワーランピングに関するカウンターを不変に維持する。
【００８４】
ステップ203〜205では、ターゲット受信パワーを上げることは、各種の方法により実現されても良く、例えば、ターゲット受信パワーを上げることは、パワーに関するカウンターを1増やすことにより実現され得る。ターゲット受信パワーを上げるかに基づいて、パワーランピングに関するカウンターを1増やすかを確定し、そして、確定した結果に基づいて、該カウンターを1増やす、又は、該カウンターを不変に維持する。
【００８５】
言い換えれば、ターゲット受信パワーを上げるかに基づいて、パワーランピングに関するカウンターをメンテナンスすることで、ターゲット受信パワーを上げるかどうかを実現し、該カウンターを1増やすときに、ターゲット受信パワーを上げることを実現し、該カウンターが不変のときに、ターゲット受信パワーを上げないことを実現する。
【００８６】
本実施例では、ステップ201において、選択されたSSB及びCSI-RSリソースのうちの任意の1つの変化状況に基づいて、パワーに関するカウンターを1増やすかを直接確定しても良い。例えば、選択されたSSB及びCSI-RSリソースのうちの任意の1つが変わっている場合、カウンターを不変に維持し、そうでない場合、カウンターを1増やしても良い。
【００８７】
言い換えれば、選択されたSSB及びCSI-RSリソースのうちの任意の1つの変化状況に基づいて、パワーに関するカウンターを1プラスするかを確定することができる。
【００８８】
本実施例では、パワーランピングに関するカウンターは、1つのSSB及びCSI-RSリソースが共用するパワーランピングに関するカウンター、例えばPREAMBLE_POWER_RAMPING_COUNTERであっても良く、SSB専用のパワーランピングに関するカウンター、例えば、PREAMBLE_POWER_RAMPING_COUNTER_SSB、及び／又は、CSI-RSリソース専用のパワーランピングに関するカウンター、例えば、PREAMBLE_POWER_RAMPING_COUNTER_CSIRSであっても良い。そのうち、どのカウンターを用いるかは、ネットワーク装置側で設定することができる。
【００８９】
例えば、ターゲット受信パワーを上げると確定した場合、
設定されたのがSSB及びCSI-RSリソースの共用のパワーランピングに関するカウンターであるときに、SSB及びCSI-RSリソースが共用するパワーランピングに関するカウンターを1増やし；
設定されたのがSSB専用のパワーランピングに関するカウンター及び／又はCSI-RSリソース専用のパワーランピングに関するカウンターであるときに、現在に選択されたのがSSBであれば、SSB専用のパワーランピングに関するカウンターを1増やし、現在に選択されたのがCSI-RSリソースであれば、CSI-RSリソース専用のパワーランピングに関するカウンターを1増やす。
【００９０】
本実施例では、上述のステップ203〜205により、パワーランピングに関するカウンターをメンテナンスすることができ、その後、該方法はさらに以下のようなステップを含んでも良い。
【００９１】
ステップ206：パワーランピングに関するカウンターの値と所定値との差と、所定ステップ長との積、ターゲット受信パワー初期値、及びプリアンブルパラメータに基づいて、ターゲット受信パワーを計算する。
【００９２】
ステップ206では、ユーザ装置使用のパワーランピングに関するカウンターが異なることにより、ターゲット受信パワーの計算方法も異なっても良い。
【００９３】
例えば、使用するのがSSB及びCSI-RSリソースの共用のパワーランピングに関するカウンターである場合、以下のような公式（1）でターゲット受信パワーを計算しても良い。
【００９４】
ターゲット受信パワー＝preambleReceivedTargetPower＋DELTA_PREAMBLE＋（PREAMBLE_POWER_RAMPING_COUNTER−1）×preamblePowerRampingStep    （1）
そのうち、preambleReceivedTargetPowerはターゲット受信パワー初期値を示し、DELTA_PREAMBLEはプリアンブルパラメータを示し、PREAMBLE_POWER_RAMPING_COUNTERは、SSB及びCSI-RSリソースが共用するパワーランピングに関するカウンターの値を示し、1は、所定値が1であることを示し、preamblePowerRampingStepは所定ステップ長を示す。
【００９５】
本実施例では、ターゲット受信パワー初期値、プリアンブルパラメータ、及び所定ステップ長は、ネットワーク装置側で事前設定されたものであっても良い。
【００９６】
例えば、使用するのがSSB専用のパワーランピングに関するカウンター及び／又はCSI-RSリソース専用のパワーランピングに関するカウンターである場合、以下のような公式（2）でターゲット受信パワーを計算しても良い。
【００９７】
ターゲット受信パワー＝preambleReceivedTargetPower＋DELTA_PREAMBLE＋（PREAMBLE_POWER_RAMPING_COUNTER_SSB＋PREAMBLE_POWER_RAMPING_COUNTER_CSIRS-k）×preamblePowerRampingStep    （2）
そのうち、preambleReceivedTargetPowerはターゲット受信パワー初期値を示し、DELTA_PREAMBLEはプリアンブルパラメータを示し、PREAMBLE_POWER_RAMPING_COUNTER_SSBはSSB専用のパワーランピングに関するカウンターの値を示し、PREAMBLE_POWER_RAMPING_COUNTER_CSIRSはCSI-RSリソース専用のパワーランピングに関するカウンターの値を示し、kは、所定値がkであることを示し、preamblePowerRampingStepは所定ステップ長を示す。
【００９８】
本実施例では、ターゲット受信パワー初期値、プリアンブルパラメータ、及び所定ステップ長はネットワーク装置側で事前設定されたものであっても良い。
【００９９】
本実施例では、ネットワーク装置により設定されたのがSSB専用のパワーランピングに関するカウンター及びCSI-RSリソース専用のパワーランピングに関するカウンターである場合、ユーザ装置はこの2つのカウンターを使用しても良く、そのうちの1つを使用しても良い。
【０１００】
本実施例では、SSB専用のパワーランピングに関するカウンター及び／又はCSI-RSリソース専用のパワーランピングに関するカウンターを使用する場合、該所定値は、使用するリソース専用のパワーランピングに関するカウンターの数、SSB専用のパワーランピングに関するカウンターの初期値、及び／又はCSI-RSリソース専用のパワーランピングに関するカウンターの初期値に基づいて確定されても良い。
【０１０１】
例えば、以下、幾つかの例示的な場合を挙げる。
【０１０２】
1）SSB専用のパワーランピングに関するカウンターのみを使用し、且つ該カウンターの初期値が1である場合、該所定値は1であり；
2）CS-RSリソース専用のパワーランピングに関するカウンターのみを使用し、且つ該カウンターの初期値が1である場合、該所定値は1であり；
3）SSB専用のパワーランピングに関するカウンターを使用し、CS-RSリソース専用のパワーランピングに関するカウンターも使用し、且つ2つのカウンターの初期値がすべて1である場合、該所定値は2であり；
4）SSB専用のパワーランピングに関するカウンターのみを使用し、且つ該カウンターの初期値が0である場合、該所定値は0であり；
5）CS-RSリソース専用のパワーランピングに関するカウンターのみを使用し、且つ該カウンターの初期値が0である場合、該所定値は0であり；
6）SSB専用のパワーランピングに関するカウンターを使用し、CS-RSリソース専用のパワーランピングに関するカウンターも使用し、且つ2つのカウンターの初期値がすべて0である場合、該所定値は0であり；
7）SSB専用のパワーランピングに関するカウンターを使用し、且つ該カウンターの初期値が0であり、また、CS-RSリソース専用のパワーランピングに関するカウンターも使用し、且つ該カウンターの初期値が1である場合、該所定値は1であり；
8）SSB専用のパワーランピングに関するカウンターを使用し、且つ該カウンターの初期値が1であり、また、CS-RSリソース専用のパワーランピングに関するカウンターも使用し、且つ該カウンターの初期値がすべて0である場合、該所定値は1である。
【０１０３】
ステップ206では、SSB及びCSI-RSリソースが共用するパラメータ、又は、SSB又はCSI-RSリソース専用のパラメータを用いてターゲット受信パワーを計算しても良い。
【０１０４】
例えば、パワーランピングに関するカウンターの値と所定値との差と、SSB又はCSI-RSリソース専用又は両者共用の所定ステップ長との積、SSB又はCSI-RSリソース専用又は両者共用のターゲット受信パワー初期値、及びSSB又はCSI-RSリソース専用又は両者共用のプリアンブルパラメータに基づいて、ターゲット受信パワーを計算しても良い。
【０１０５】
例えば、現在に選択されたのがSSBであれ、CSI-RSリソースであれ、すべては、上述の公式（1）を用いてターゲット受信パワーを計算する。
【０１０６】
また、例えば、現在に選択されたリソース専用のパラメータを用いてターゲット受信パワーを計算する。
【０１０７】
例えば、現在に選択されたのがSSBである場合、以下のような公式（3）でターゲット受信パワーを計算しても良い。
【０１０８】
ターゲット受信パワー＝preambleReceivedTargetPower_SSB＋DELTA_PREAMBLE_SSB＋（PREAMBLE_POWER_RAMPING_COUNTER−1）×preamblePowerRampingStep_SSB    （3）
そのうち、preambleReceivedTargetPower_SSBはSSB専用のターゲット受信パワー初期値を示し、DELTA_PREAMBLE_SSBはSSB専用のプリアンブルパラメータを示し、PREAMBLE_POWER_RAMPING_COUNTERはパワーランピングに関するカウンターの値を示し、1は、所定値が1であることを示し、preamblePowerRampingStep_SSBはSSB専用の所定ステップ長を示す。
【０１０９】
本実施例では、SSB専用のターゲット受信パワー初期値、プリアンブルパラメータ、及び所定ステップ長は、ネットワーク装置側で事前設定されたものであっても良い。
【０１１０】
例えば、現在に選択されたのがCSI-RSである場合、以下のような公式（4）でターゲット受信パワーを計算しても良い。
【０１１１】
ターゲット受信パワー＝preambleReceivedTargetPower_CSIRS＋DELTA_PREAMBLE_CSIRS＋（PREAMBLE_POWER_RAMPING_COUNTER−1）×preamblePowerRampingStep_CSIRS    （4）
そのうち、preambleReceivedTargetPower_CSIRSはCSI-RSリソース専用のターゲット受信パワー初期値を示し、DELTA_PREAMBLE_CSIRSはCSI-RSリソース専用のプリアンブルパラメータを示し、PREAMBLE_POWER_RAMPING_COUNTERはパワーランピングに関するカウンターの値を示し、1は、所定値が1であることを示し、preamblePowerRampingStep_CSIRSはCSI-RSリソース専用の所定ステップ長を示す。
【０１１２】
本実施例では、CSI-RSリソース専用のターゲット受信パワー初期値、プリアンブルパラメータ、及び所定ステップ長は、ネットワーク装置側で事前設定されたものであっても良い。
【０１１３】
本実施例では、上述のステップ202〜206は選択可能なステップであっても良い。
【０１１４】
図3は本発明の実施例1におけるパワーの確定方法を示すもう1つの図である。図3に示すように、該方法は以下のようなステップを含んでも良い。
【０１１５】
ステップ301：空間領域送信フィルターを変えるかに基づいて、パワーランピングに関するカウンターのサスペンド指示を送信するかを確定し；
ステップ302：選択されたSSB及びCSI-RSリソースのうちの任意の1つの変化状況、及び、パワーランピングに関するカウンターのサスペンド指示を受信したかに基づいて、ターゲット受信パワーを上げるかを確定する。
【０１１６】
ステップ301では、物理層が空間領域送信フィルターを変えるときに、MAC層に、パワーランピングに関するカウンターのサスペンド指示を送信し、物理層が空間領域送信フィルターを変えないときに、該サスペンド指示を送信しない。
【０１１７】
ステップ302では、MAC層が該サスペンド指示を受信したときに、パワーランピングに関するカウンターを不変に保持し、即ち、ターゲット受信パワーを上げず、また、MAC層が該サスペンド指示を受信しないときに、選択されたSSB及びCSI-RSリソースのうちの任意の1つの変化状況に基づいて、ターゲット受信パワーを上げるかを確定し、その具体的な確定方法は図2のステップ201と同じであるため、ここではその詳しい説明を省略する。
【０１１８】
本実施例では、該方法はさらに以下のようなステップを含んでも良い。
【０１１９】
ステップ303：選択されたSSB又はCSI-RSリソースに基づいて、又は、選択されたSSB又はCSI-RSリソースに対応するランダムアクセスリソース及びランダムアクセスプリアンブルのインデックスに基づいて、空間領域送信フィルターを変えるかを確定する。
【０１２０】
本実施例では、ステップ303は選択可能なステップであっても良い。
【０１２１】
例えば、ランダムアクセスプリアンブルの再送の場合、又は、ランダムアクセスプリアンブルの初めて（最初）の送信又は再送の場合、且つ、MAC層がランダムアクセスプリアンブル伝送プロシージャの実行を開始する前に、MAC層は、選択されたSSBのインデックス、又は、選択されたCSI-RSリソースのID、又は、選択されたCSI-RSリソースと疑似コロケーションされるSSBのインデックスを物理層に送信し、或いは、MAC層は、選択されたSSB又はCSI-RSリソースに対応するランダムアクセスリソース及びランダムアクセスプリアンブルのインデックスを物理層に送信する。
【０１２２】
また、MAC層がランダムアクセスプリアンブル伝送プロシージャを完成した場合、物理層に上述の情報を提供せず、ターゲット受信パワーのみを提供しても良く、また、RA-RNTIがある場合、該情報も提供する。
【０１２３】
このように、従来技術の次のような問題を解決することができ、即ち、上りリンク無線状況と下りリンク無線状況との間に相互関係（reciprocity）が存在する場合、空間領域送信フィルターと、MAC層が選択したリソースとの間には関連付けが存在する。従来の物理層とMAC層との間のやり取りに基づいて、物理層が空間領域送信フィルターを確定するときに、MAC層のリソース選択の結果を把握することができない。これにより、物理層が誤ってMAC層にサスペンド指示を提供し、又は、誤ってMAC層にサスペンド指示を提供しない可能性があり、パワーを上げるかの決定錯誤を引き起こす恐れがある。
【０１２４】
言い換えれば、MAC層にサスペンド指示を合理的に提供することができるから、パワーランピングを行うかを合理的に決定することができる。
【０１２５】
上述の実施例よれば、選択されたSSB及びCSI-RSリソースのうちの任意の1つの変化状況に基づいて、ターゲット受信パワーを上げるかを確定することで、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。
【実施例２】
【０１２６】
本発明の実施例はパワーの確定方法を提供し、該方法はユーザ装置側に応用される。
【０１２７】
図4は本発明の実施例2のパワーの確定方法を示す図である。図4に示すように、該方法は以下のようなステップを含む。
【０１２８】
ステップ401：選択されたSSBが変わっている場合、ターゲット受信パワーを上げないと確定し；
ステップ402：選択されたSSBが変わっている場合以外の他の場合、ターゲット受信パワーを上げると確定する。
【０１２９】
本実施例では、選択されたCSI-RSリソースが変わっているかを確定するときに、CSI-RSリソースとSSBの疑似コロケーションの関係を考慮しない。
【０１３０】
本実施例では、選択されたSSBが変わっていることは、現在に選択されたのがSSBであることを表し、また、選択されたSSBが変わっている場合については、実施例1における記載を参照することができる。
【０１３１】
例えば、選択されたSSBが変わっている場合は、以下のような場合のうちの任意の1つを含んでも良い。
【０１３２】
1）現在に選択されたのがSSBであり、前回選択されたのがSSBであるが、この2つのSSBは異なり；
2）現在に選択されたのがSSBであり、前回選択されたのがCSI-RSであり；
3）現在に選択されたのがSSBであり、且つ現在に選択されたSSBがその前に選択されたすべてのSSBとは異なる。
【０１３３】
本実施例では、ターゲット受信パワーを上げる及びターゲット受信パワーを上げないことを実現する方法は、実施例1に記載の方法と同じであっても良い。即ち、ターゲット受信パワーを上げるかに基づいて、パワーランピングに関するカウンターを1増やすかを確定し、そして、確定した結果に基づいて、該カウンターを1増やす又は該カウンターを不変に維持する。
【０１３４】
また、どのカウンターを使用するか又はどのパラメータを使用してターゲット受信パワーを計算するかの具体的な方法も実施例1に記載の方法と同じであっても良いから、ここではその詳しい説明を省略する。
【０１３５】
また、本実施例に係る方法は、カウンターのサスペンド指示を確定し、及び、選択されたSSB及びCSI-RSリソースのうちの任意の1つの変化状況、及び、サスペンド指示を受信したかに基づいて、ターゲット受信パワーを上げるかを確定するステップを含んでも良く、その具体的な実現方法も実施例1に記載の方法と同じであるから、ここではその詳しい説明を省略する。
【０１３６】
上述の実施例によれば、選択されたSSB及びCSI-RSリソースのうちの任意の1つの変化状況に基づいて、ターゲット受信パワーを上げるかを確定することで、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。また、現在にCSI-RSリソースが選択されており且つ変わらない場合についても合理的な処理、即ち、パワーランピングを行うことができる。
【実施例３】
【０１３７】
本発明の実施例はさらにパワーの確定方法を提供し、該方法はユーザ装置側に応用される。
【０１３８】
図5は本発明の実施例3におけるパワーの確定方法を示す図である。図5に示すように、該方法は以下のようなステップを含む。
【０１３９】
ステップ501：選択されたSSB及びCSI-RSリソースのうちの任意の1つが変わらない場合、ターゲット受信パワーを上げると確定し；
ステップ502：選択されたSSB及びCSI-RSリソースのうちの任意の1つが変わらない場合以外の他の場合、ターゲット受信パワーを上げないと確定する。
【０１４０】
本実施例では、選択されたCSI-RSリソースが変わっているかを確定するときに、CSI-RSリソースとSSBの疑似コロケーションの関係を考慮しない。
【０１４１】
なお、選択されたSSB及びCSI-RSリソースのうちの任意の1つが変わらない場合については、実施例1における記載を参照することができる。
【０１４２】
例えば、選択されたSSB及びCSI-RSリソースのうちの任意の1つが変わらない場合は、以下のような場合のうちの任意の1つを含んでも良い。
【０１４３】
1）現在にSSBが選択されており、前回はSSBが選択されており、且つ両者は同じであり；
2）現在にSSBが選択されており、現在に選択されたSSBと、その前に選択されたSSBのうちの少なくとも1つのSSBとが同じであり；
3）現在にCSI-RSが選択されており、前回はCSI-RSが選択されており、且つ両者は同じであり；
4）現在にCSI-RSが選択されており、現在に選択されたCSI-RSと、その前に選択されたCSI-RSのうちの少なくとも1つのCSI-RSとが同じである。
【０１４４】
本実施例では、ターゲット受信パワーを上げる及びターゲット受信パワーを上げないことの実現方法も実施例1に記載の方法と同じであっても良い。即ち、ターゲット受信パワーを上げるかに基づいて、パワーランピングに関するカウンターを1プラスするかを確定し、そして、確定した結果に基づいて、該カウンターを1増やす又は該カウンターを不変に維持する。
【０１４５】
また、どのカウンターを使用するか又はどのパラメータを使用してターゲット受信パワーを計算するかの具体的な方法も実施例1に記載の方法と同じであっても良いから、ここではその詳しい説明を省略する。
【０１４６】
また、本実施例の方法は、カウンターのサスペンド指示を確定し、及び、選択されたSSB及びCSI-RSリソースのうちの任意の1つの変化状況、及び、サスペンド指示を受信したかに基づいて、ターゲット受信パワーを上げるかを確定するステップを含んでも良いが、具体的な実現方法も実施例1に記載の方法と同じであっても良いから、ここではその詳しい説明を省略する。
【０１４７】
以下、切り替え（ハンドオーバー）のシナリオを基に本実施例に係る方法について例示的に説明する。
【０１４８】
切り替えの場合、ネットワーク装置は、ユーザ装置のために、CSI-RSリソースに対応する専用ランダムアクセスリソース及びランダムアクセスプリアンブルのみを提供する可能性がある。このような場合、無線リンク品質条件を満たすCSI-RSリソースは優先的に選択され得る。このように、すべてのリソース選択プロシージャでは、CSI-RSリソースのみが選択され、SSBを選択しない場合は通常の場合である。
【０１４９】
例えば、ランダムアクセスプリアンブルの初めての伝送のときに、CSI-RS  resource  ID=3のCSI-RSリソースが選択される。第一回のランダムアクセスプリアンブルの再送のときに、CSI-RS  resource  ID=4のCSI-RSリソースが選択される。このような場合、パワーに関するカウンターが不変に保持される。第二回のランダムアクセスプリアンブルの再送のときに、CSI-RS  resource  ID=3のCSI-RSリソースが選択される。前回の伝送のみと比較する場合、パワーに関するカウンターが不変に保持されるが、すべての伝送を考慮した場合、パワーに関するカウンターを1増やす。
【０１５０】
また、切り替えの場合、特定のリソース選択のときに、専用ランダムアクセスリソースが設定されているすべてのCSI-RSリソースが無線リンク品質条件を満足しない場合、SSBに対応する共通ランダムアクセスリソースを選んでランダムアクセスプリアンブルの再送を行っても良い。
【０１５１】
例えば、ランダムアクセスプリアンブルの初めての伝送のときに、CSI-RS  resource  ID=3のCSI-RSが選択される。第一回のランダムアクセスプリアンブルの再送のときに、CSI-RS  resource  ID=4のCSI-RSが選択される。このような場合、パワーに関するカウンターが不変に保持される。第二回のランダムアクセスプリアンブルの再送のときに、SSB  index=1のSSBが選択され、パワーに関するカウンターが不変に保持される。
【０１５２】
上述の実施例によれば、選択されたSSB及びCSI-RSリソースのうちの任意の1つの変化状況に基づいて、ターゲット受信パワーを上げるかを確定することで、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。また、現在にその前と同一のリソースが選択された場合、例えば、SSB又はCSI-RSリソースが選択された場合についても合理的な処理を行うことができる。
【実施例４】
【０１５３】
本発明の実施例はさらにパワーの確定方法を提供し、該方法はユーザ装置側に応用される。
【０１５４】
図6は本発明の実施例4におけるパワーの確定方法を示す図である。図6に示すように、該方法は以下のようなステップを含む。
【０１５５】
ステップ601：選択されたSSB及びCSI-RSリソースのうちの任意の1つが変わっている場合、ターゲット受信パワーを上げないと確定し；
ステップ602：選択されたSSB及びCSI-RSリソースのうちの任意の1つが変わっている場合以外の他の場合、ターゲット受信パワーを上げると確定する。
【０１５６】
本実施例では、選択されたCSI-RSリソースが変わっているかを判断するときに、CSI-RSリソースとSSBの疑似コロケーションの関係を考慮しない。
【０１５７】
なお、選択されたSSB及びCSI-RSリソースのうちの任意の1つが変わっている場合については、実施例1における記載を参照することができる。
【０１５８】
例えば、選択されたSSB及びCSI-RSリソースのうちの任意の1つが変わっている場合は、以下のような場合のうちの任意の1つを含んでも良い。
【０１５９】
1）現在に選択されたのがSSBであり、前回選択されたのがSSBであるが、この2つのSSBは異なり；
2）現在に選択されたのがSSBであり、且つ現在に選択されたSSBが、その前に選択されたすべてのSSBとは異なり；
3）現在に選択されたのがCSI-RSリソースであり、前回選択されたのがCSI-RSであるが、この2つのCSI-RSリソースは異なり；
4）現在に選択されたのがCSI-RSリソースであり、且つ現在に選択されたCSI-RSリソースが、その前に選択されたすべてのCSI-RSリソースとは異なる。
【０１６０】
本実施例では、ターゲット受信パワーを上げる及びターゲット受信パワーを上げないことの実現方法も実施例1に記載の方法と同じであっても良く、即ち、ターゲット受信パワーを上げるかに基づいて、パワーランピングに関するカウンターを1増やすかを確定し、そして、確定した結果に基づいて、該カウンターを1増やす又は該カウンターを不変に維持する。
【０１６１】
また、どのカウンターを使用するか又はどのパラメータを使用してターゲット受信パワーを計算するかの具体的な方法も実施例1に記載の方法と同じであっても良いから、ここではその詳しい説明を省略する。
【０１６２】
また、本実施例の方法は、カウンターのサスペンド指示を確定し、及び、選択されたSSB及びCSI-RSリソースのうちの任意の1つの変化状況、及び、サスペンド指示を受信したかに基づいて、ターゲット受信パワーを上げるかを確定するステップを含んでも良く、具体的な実現方法も実施例1に記載の方法と同じであっても良いから、ここではその詳しい説明を省略する。
【０１６３】
以下、切り替えのシナリオを基に本実施例に係る方法について例示的に説明する。
【０１６４】
切り替えの場合、ネットワーク装置は、ユーザ装置のために、CSI-RSリソースに対応する専用ランダムアクセスリソース及びランダムアクセスプリアンブルのみを提供する可能性がある。このような場合、無線リンク品質条件を満たすCSI-RSリソースは優先的に選択され得る。このように、すべてのリソース選択プロシージャでは、CSI-RSリソースのみが選択され、SSBを選択しない場合は通常の場合である。
【０１６５】
ランダムアクセスプリアンブルの初めての伝送のときに、CSI-RS  resource  ID=3のCSI-RSリソースが選択される。第一回のランダムアクセスプリアンブルの再送のときに、CSI-RS  resource  ID=4のCSI-RSリソースが選択される。このような場合、パワーに関するカウンターが不変に維持される。第二回ランダムアクセスプリアンブルの再送のときに、CSI-RS  resource  ID=3のCSI-RSリソースが選択される。前回の伝送のみと比較する場合、パワーに関するカウンターが不変に維持されるが、すべての伝送を考慮した場合、パワーに関するカウンターを1増やす。
【０１６６】
また、切り替えの場合、特定のリソース選択のときに、専用ランダムアクセスリソースが設定されているすべてのCSI-RSが無線リンク品質条件を満たさない場合、SSBに対応する共通ランダムアクセスリソースを選択してランダムアクセスプリアンブルの再送を行っても良い。
【０１６７】
例えば、ランダムアクセスプリアンブルの初めての伝送のときに、CSI-RS  resource  ID=3のCSI-RSリソースが選択される。第一回のランダムアクセスプリアンブルの再送のときに、CSI-RS  resource  ID=4のCSI-RSリソースが選択される。このような場合、パワーに関するカウンターが不変に維持される。第二回のランダムアクセスプリアンブルの再送のときに、SSB  index=1のSSBが選択され、パワーに関するカウンターを1増やす。
【０１６８】
上述の実施例によれば、選択されたSSB及びCSI-RSリソースのうちの任意の1つの変化状況に基づいて、ターゲット受信パワーを上げるかを確定することで、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。また、現在にその前と同一のリソースが選択された場合、例えば、SSB又はCSI-RSリソースが選択された場合についても合理的な処理を行うことができる。
【実施例５】
【０１６９】
本発明の実施例はさらにパワーの確定方法を提供し、該方法はユーザ装置側に応用される。
【０１７０】
図7は本発明の実施例5におけるパワーの確定方法を示す図である。図7に示すように、該方法は以下のステップを含む。
【０１７１】
ステップ701：選択されたSSBが変わっている又は選択されたCSI-RSリソースと疑似コロケーションされるSSBが変わっている場合、ターゲット受信パワーを上げないと確定し；
ステップ702：選択されたSSBが変わっている及び選択されたCSI-RSリソースと疑似コロケーションされるSSBが変わっている場合以外の他の場合、ターゲット受信パワーを上げると確定する。
【０１７２】
本実施例では、選択されたCSI-RSリソースが変わっているかを確定するときに、CSI-RSリソースとSSBの疑似コロケーションの関係を考慮している。
【０１７３】
なお、選択されたSSBが変わっている及び選択されたCSI-RSリソースと疑似コロケーションされるSSBが変わっている場合については、実施例1における記載を参照することができる。
【０１７４】
例えば、選択されたSSBが変わっている及び選択されたCSI-RSリソースと疑似コロケーションされるSSBが変わっている場合は、以下のような場合のうちの任意の1つを含んでも良い。
【０１７５】
1）現在に選択されたのがSSBであり、前回選択されたのがSSBであるが、この2つのSSBは異なり；
2）現在に選択されたのがSSBであり、且つ現在に選択されたSSBが、その前に選択されたすべてのSSBとは異なり；
3）現在に選択されたのがSSBであり、前回選択されたのがCSI-RSであり、且つ現在に選択されたSSBと、前回選択されたCSI-RSリソースと疑似コロケーションされるSSBとが異なり；
4）現在に選択されたのがSSBであり、且つ現在に選択されたSSBと、その前に選択されたすべてのCSI-RSリソースと疑似コロケーションされるSSBとが異なり；
5）現在に選択されたのがSSBであり、現在に選択されたSSBと、その前に選択されたすべてのSSBとが異なり、且つ現在に選択されたSSBと、その前に選択されたすべてのCSI-RSリソースと疑似コロケーションされるSSBとが異なり；
6）現在に選択されたのがCSI-RSであり、前回選択されたのがSSBであり、且つ現在に選択されたCSI-RSリソースと疑似コロケーションされるSSBと、前回選択されたSSBとが異なり；
7）現在に選択されたのがCSI-RSリソースであり、且つ現在に選択されたCSI-RSリソースと疑似コロケーションされるSSBが、その前に選択されたすべてのSSBとは異なり；
8）現在に選択されたのがCSI-RSリソースであり、前回選択されたのがCSI-RSであり、現在に選択されたCSI-RSと、前回選択されたCSI-RSとが異なり、且つ現在に選択されたCSI-RSリソースと疑似コロケーションされるSSBと、前回選択されたCSI-RSリソースと疑似コロケーションされるSSBとが異なり；
9）現在に選択されたのがCSI-RSリソースであり、その前に選択されたすべてのCSI-RSリソースとは異なり、且つ現在に選択されたCSI-RSリソースと疑似コロケーションされるSSBと、その前に選択されたすべてのCSI-RSリソースと疑似コロケーションされるSSBとが異なり；
10）現在に選択されたのがCSI-RSリソースであり、前回選択されたのがCSI-RSリソースであり、現在に選択されたCSI-RSリソースと、前回選択されたCSI-RSリソースとが異なり、且つ現在に選択されたCSI-RSリソースと疑似コロケーションされるSSBと、前回選択されたCSI-RSリソースと疑似コロケーションされるSSBとが同じであり、該場合について、事前定義の確定規則に基づいて、又は、ネットワーク装置により事前設定された確定規則に基づいて、このような場合を、“選択されたCSI-RSリソースと疑似コロケーションされるSSBが変わっている”と見なしても良く、また、このような場合を、“選択されたCSI-RSリソースと疑似コロケーションされるSSBが変わらない”と見なして良く；
11）現在に選択されたのがCSI-RSリソースであり、その前に選択されたすべてのCSI-RSリソースとは異なり、且つ現在に選択されたCSI-RSリソースと疑似コロケーションされるSSBと、その前に選択された少なくとも1つのCSI-RSリソースと疑似コロケーションされるSSBとが同じであり、該場合について、事前定義の確定規則に基づいて、又は、ネットワーク装置により事前設定された確定規則に基づいて、このような場合を、“選択されたCSI-RSリソースと疑似コロケーションされるSSBが変わっている”と見なしても良く、また、このような場合を、“選択されたCSI-RSリソースと疑似コロケーションされるSSBが変わらない”と見なしても良く；
12）現在に選択されたのがCSI-RSリソースであり、且つ、現在に選択されたCSI-RSリソースと疑似コロケーションされるSSBが、その前に選択されたすべてのSSBとは異なり、且つ、その前に選択されたすべてのCSI-RSとは異なり、また、現在に選択されたCSI-RSリソースと疑似コロケーションされるSSBが、その前に選択されたすべてのCSI-RSリソースと疑似コロケーションされるSSBとは異なり；
13）現在に選択されたのがCSI-RSリソースであり、現在に選択されたCSI-RSリソースと疑似コロケーションされるSSBが、その前に選択されたすべてのSSBとは異なり、且つ現在に選択されたCSI-RSリソースが、その前に選択されたすべてのCSI-RSとは異なり、且つ現在に選択されたCSI-RSリソースと疑似コロケーションされるSSBが、その前に選択されたすべてのCSI-RSリソースと疑似コロケーションされるSSBとは異なり；
14）現在に選択されたのがCSI-RSリソースであり、且つ現在に選択されたCSI-RSリソースと疑似コロケーションされるSSBが、その前に選択されたすべてのSSBとは異なり、且つその前に選択されたすべてのCSI-RSとは異なり、また、現在に選択されたCSI-RSリソースと疑似コロケーションされるSSBが、その前に選択された少なくとも1つのCSI-RSリソースと疑似コロケーションされるSSBと同じであり、該場合について、事前定義の確定規則に基づいて、又は、ネットワーク装置により事前設定された確定規則に基づいて、このような場合を、“選択されたCSI-RSリソースと疑似コロケーションされるSSBが変わっている”と見なしても良く、また、このような場合を、“選択されたCSI-RSリソースと疑似コロケーションされるSSBが変わらない”と見なしても良い。
【０１７６】
以下、ステップ701及びステップ702の具体的な実現方式について例示的に説明する。
【０１７７】
ステップ701では、例えば、現在に選択されたSSBが前回選択されたSSBとは異なる場合、又は、現在に選択されたSSBがその前に選択されたすべてのSSBとは異なる場合、又は、現在に選択されたSSBが前回選択されたCSI-RSリソースと疑似コロケーションされるSSBとは異なる場合、又は、現在に選択されたSSBがその前に選択されたすべてのCSI-RSリソースと疑似コロケーションされるSSBとは異なる場合、又は、現在に選択されたSSBがその前に選択されたすべてのSSBとは異なり、且つ現在に選択されたSSBがその前に選択されたすべてのCSI-RSリソースと疑似コロケーションされるSSBとは異なる場合、又は、現在に選択されたCSI-RSリソースと疑似コロケーションされるSSBが前回選択されたSSBとは異なる場合、又は、現在に選択されたCSI-RSリソースと疑似コロケーションされるSSBがその前に選択されたすべてのSSBとは異なる場合、又は、現在に選択されたCSI-RSリソースと疑似コロケーションされるSSBが前回選択されたCSI-RSリソースと疑似コロケーションされるSSBとは異なる場合、又は、現在に選択されたCSI-RSリソースと疑似コロケーションされるSSBがその前に選択されたすべてのCSI-RSリソースと疑似コロケーションされるSSBとは異なる場合、又は、現在に選択されたCSI-RSリソースと疑似コロケーションされるSSBがその前に選択されたすべてのSSBとは異なり、且つ現在に選択されたCSI-RSリソースと疑似コロケーションされるSSBがその前に選択されたすべてのCSI-RSリソースと疑似コロケーションされるSSBとは異なる場合、又は、現在に選択されたCSI-RSリソースが前回選択されたCSI-RSリソースとは異なり、且つ現在に選択されたCSI-RSリソースと疑似コロケーションされるSSBが前回選択されたCSI-RSリソースと疑似コロケーションされるSSBと同じである場合、又は、現在に選択されたCSI-RSリソースがその前に選択されたすべてのCSI-RSリソースとは異なり、且つ現在に選択されたCSI-RSリソースと疑似コロケーションされるSSBがその前に選択された少なくとも1つのCSI-RSリソースと疑似コロケーションされるSSBと同じである場合、又は、現在に選択されたCSI-RSリソースと疑似コロケーションされるSSBがその前に選択されたすべてのSSBとは異なり、且つその前に選択されたすべてのCSI-RSとは異なり、また、現在に選択されたCSI-RSリソースと疑似コロケーションされるSSBがその前に選択されたすべてのCSI-RSリソースと疑似コロケーションされるSSBとは異なる場合、又は、現在に選択されたCSI-RSリソースと疑似コロケーションされるSSBがその前に選択されたすべてのSSBとは異なり、且つその前に選択されたすべてのCSI-RSとは異なり、また、現在に選択されたCSI-RSリソースと疑似コロケーションされるSSBがその前に選択された少なくとも1つのCSI-RSリソースと疑似コロケーションされるSSBと同じである場合、ターゲット受信パワーを上げないと確定する。
【０１７８】
ステップ702では、例えば、現在に選択されたSSBが前回選択されたSSBと同じである場合、又は、現在に選択されたSSBがその前に選択されたすべてのSSBのうちの少なくとも1つと同じである場合、又は、現在に選択されたSSBが前回選択されたCSI-RSリソースと疑似コロケーションされるSSBと同じである場合、又は、現在に選択されたSSBがその前に選択されたすべてのCSI-RSリソースと疑似コロケーションされるSSBのうちの少なくとも1つと同じである場合、又は、現在に選択されたCSI-RSリソースが前回選択されたCSI-RSリソースと同じである場合、又は、現在に選択されたCSI-RSリソースがその前に選択されたすべてのCSI-RSリソースのうちの少なくとも1つと同じである場合、又は、現在に選択されたCSI-RSリソースが前回選択されたCSI-RSリソースとは異なり、且つ現在に選択されたCSI-RSリソースと疑似コロケーションされるSSBが前回選択されたCSI-RSリソースと疑似コロケーションされるSSBと同じである場合、又は、現在に選択されたCSI-RSリソースがその前に選択されたすべてのCSI-RSリソースとは異なり、且つ現在に選択されたCSI-RSリソースと疑似コロケーションされるSSBがその前に選択されたすべてのCSI-RSリソースと疑似コロケーションされるSSBのうちの少なくとも1つと同じである場合、又は、現在に選択されたCSI-RSリソースと疑似コロケーションされるSSBが前回選択されたSSBと同じである場合、又は、現在に選択されたCSI-RSリソースと疑似コロケーションされるSSBがその前に選択されたすべてのSSBのうちの少なくとも1つと同じである場合、又は、現在に選択されたCSI-RSリソースと疑似コロケーションされるSSBがその前に選択されたすべてのSSBとは異なり、且つその前に選択されたすべてのCSI-RSとは異なり、且つ現在に選択されたCSI-RSリソースと疑似コロケーションされるSSBがその前に選択された少なくとも1つのCSI-RSリソースと疑似コロケーションされるSSBと同じである場合、ターゲット受信パワーを上げると確定する。
【０１７９】
本実施例では、ターゲット受信パワーを上げる及びターゲット受信パワーを上げないことの実現方法も実施例1に記載の方法と同じであっても良く、即ち、ターゲット受信パワーを上げるかに基づいて、パワーランピングに関するカウンターを1増やすかを確定し、そして、確定した結果に基づいて、該カウンターを1増やす又は該カウンターを不変に維持する。
【０１８０】
また、どのカウンターを使用するか又はどのパラメータを使用してターゲット受信パワーを計算するかの具体的な方法も実施例1に記載の方法と同じであっても良いから、ここではその詳しい説明を省略する。
【０１８１】
また、本実施例の方法は、カウンターのサスペンド指示を確定し、及び、選択されたSSB及びCSI-RSリソースのうちの任意の1つの変化状況、及び、サスペンド指示を受信したかに基づいて、ターゲット受信パワーを上げるかを確定するステップを含んでも良いが、具体的な実現方法も実施例1に記載の方法と同じであっても良く、ここではその詳しい説明を省略する。
【０１８２】
以下、ランダムアクセスプロシージャがビーム失敗回復によりトリガーされるシナリオを基に本実施例に係る方法について例示的に説明する。
【０１８３】
ランダムアクセスプロシージャがビーム失敗回復によりトリガーされるときに、ネットワーク装置は、ビーム失敗回復のために、同時に、CSI-RS及びSSBに対応する専用ランダムアクセスリソースを設定し、そのうちの一部又は全部のCSI-RSリソースと疑似コロケーションされるSSBを設定する可能性がある。
【０１８４】
例えば、ランダムアクセスプリアンブルの初めての伝送のときに、MAC層がSSB  index=1のSSBに対応するランダムアクセスリソースを選択しており、ランダムアクセスプリアンブルの第一回の再送のときに、MACサブ層がCSI-RS  resource  ID=3（それは、SSB  index=1のSSBと疑似コロケーションされる）のCSI-RSリソースを選択している。この場合、選択されたCSI-RSリソースが変わらないと見なし、パワーランピングに関するカウンターを1増やしても良い。
【０１８５】
上述の実施例によれば、選択されたSSB及びCSI-RSリソースのうちの任意の1つの変化状況に基づいて、ターゲット受信パワーを上げるかを確定することで、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。また、CSI-RSリソースとSSBの疑似コロケーションの関係を考慮したから、現在にどのリソースが選択されたかにもかかわらず、合理的な処理を行うことができる。
【実施例６】
【０１８６】
本発明の実施例はさらにパワーの確定方法を提供し、該方法はネットワーク装置側に応用され、それは実施例1〜5においてユーザ装置側に応用されるパワーの確定方法に対応する。
【０１８７】
図8は本発明の実施例6におけるパワーの確定方法を示す図である。図8に示すように、該方法は以下のようなステップを含む。
【０１８８】
ステップ801：ユーザ装置に、SSB及びCSI-RSリソースが共用するパワーランピングに関するカウンター、又は、SSB専用のパワーランピングに関するカウンター及びCSI-RSリソース専用のパワーランピングに関するカウンターを設定し；及び／又は
ステップ802：ユーザ装置に、ターゲット受信パワーを計算するためのSSB及びCSI-RSリソースが共用するパラメータ、又は、ターゲット受信パワーを計算するためのSSB専用のパラメータ及びCSI-RSリソース専用のパラメータを設定する。
【０１８９】
例えば、ターゲット受信パワーを計算するためのSSB専用のパラメータは次のようなパラメータのうちの少なくとも1つを含み、即ち、SSB専用の所定ステップ長、SSB専用のターゲット受信パワー初期値、及びSSB専用のプリアンブルパラメータである。
【０１９０】
ターゲット受信パワーを計算するためのCSI-RSリソース専用のパラメータは次のようなパラメータのうちの少なくとも1つを含み、即ち、CSI-RSリソース専用の所定ステップ長、CSI-RSリソース専用のターゲット受信パワー初期値、及びCSI-RSリソース専用のプリアンブルパラメータである。
【０１９１】
本実施例では、ネットワーク装置がユーザ装置のために上述のステップでパワーランピングに関するカウンター及び／又はターゲット受信パワーを計算するためのパラメータを設定することにより、ユーザ装置は、該設定に基づいて、関連するカウンター及びパラメータを用いてターゲット受信パワーを計算することができる。具体的な計算方法は実施例1における記載を参照することができ、ここではその詳しい説明を省略する。
【０１９２】
本実施例では、例えば、該方法はさらに以下のステップを含んでも良い。
【０１９３】
ステップ803：ユーザ装置に、選択されたCSI-RSリソースが変わっているかを確定するときにCSI-RSリソースとSSBの疑似コロケーションの関係を考慮するかの規則を設定し；及び／又は
ステップ804：ユーザ装置に、CSI-RSリソースとSSBの疑似コロケーションの関係を考慮した場合の、選択されたCSI-RSリソースが変わっているかを確定する規則及び／又はCSI-RSリソースとSSBの疑似コロケーションの関係を設定する。
【０１９４】
例えば、現在に選択されたのがCSI-RSリソースであり、前回選択されたのもSI-RSリソースであり、この2つのCSI-RSリソースが異なるが、現在に選択されたCSI-RSリソースと疑似コロケーションされるSSBが、前回選択されたCSI-RSリソースと疑似コロケーションされるSSBと同じである。この場合、CSI-RSリソースとSSBの疑似コロケーションの関係を考慮したときに、選択されたCSI-RSリソースが変わらないと確定して良く、又は、選択されたCSI-RSリソースが変わっていると確定しても良いが、変わっているかの確定は、設定された該規則により規定される。また、CSI-RSリソースとSSBの疑似コロケーションの関係を考慮しないときに、選択されたCSI-RSリソースが変わっていると確定しても良い。
【０１９５】
また、例えば、現在に選択されたのがCSI-RSリソースであり、現在に選択されたCSI-RSリソースがその前に選択されたすべてのCSI-RSリソースとは異なるが、現在に選択されたCSI-RSリソースと疑似コロケーションされるSSBがその前に選択されたすべてのCSI-RSリソースのうちの少なくとも1つのCSI-RSリソースと疑似コロケーションされるSSBと同じである。この場合、CSI-RSリソースとSSBの疑似コロケーションの関係を考慮したときに、選択されたCSI-RSリソースが変わらないと確定しても良く、又は、選択されたCSI-RSリソースが変わっていると確定しても良いが、変わっているかの確定は、設定された該規則により規定される。また、CSI-RSリソースとSSBの疑似コロケーションの関係を考慮しないときに、選択されたCSI-RSリソースが変わっていると確定しても良い。
【０１９６】
本実施例では、該疑似コロケーションの関係はRRC専用シグナリングにより設定されても良い。
【０１９７】
また、該疑似コロケーションの関係は測定対象の設定（measurement  object  configuration）により設定されても良く、及び／又は、該疑似コロケーションの関係は、候補ビームと一緒に設定されても良い。
【０１９８】
本実施例では、該CSI-RSリソースとSSBの疑似コロケーションの関係は次のようなものを含んでも良く、即ち、CSI-RSリソースが、任意のSSBと疑似コロケーションされ；又は、CSI-RSリソースと、すべてのSSBとの間には疑似コロケーションの関係が存在せず；又は、CSI-RSリソースが、事前定義又は事前設定された少なくとも1つのSSBと疑似コロケーションされることである。
【０１９９】
本実施例では、上述のステップ801〜804の実行順序について限定しない。
【０２００】
上述の実施例によれば、ユーザ装置に、SSB及び／又はCSI-RSリソースに関する、パワーランピングに関するカウンター及び／又はターゲット受信パワーを計算するためのパラメータを設定することで、ユーザ装置は、該設定に基づいて、また、選択されたSSB及びCSI-RSリソースのうちの任意の1つの変化状況に基づいて、ターゲット受信パワーを上げるかを確定することができる。そのため、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。
【実施例７】
【０２０１】
本発明の実施例はさらにパワーの確定方法を提供し、該方法はユーザ装置側及びネットワーク装置側に応用され、それは実施例1〜6のパワーの確定方法に対応し、その具体的な実施は実施例1〜6を参照することができ、ここでは重複説明を省略する。
【０２０２】
図9は本発明の実施例7におけるパワーの確定方法を示す図である。図9に示すように、該方法は以下のようなステップを含む。
【０２０３】
ステップ901：ネットワーク装置がユーザ装置に、SSB及びCSI-RSリソースが共用するパワーランピングに関するカウンター、又は、SSB専用のパワーランピングに関するカウンター及びCSI-RSリソース専用のパワーランピングに関するカウンターを設定し；及び／又は
ステップ902：ネットワーク装置がユーザ装置に、ターゲット受信パワーを計算するためのSSB及びCSI-RSリソースが共用するパラメータ、又は、ターゲット受信パワーを計算するためのSSB専用のパラメータ及びCSI-RSリソース専用のパラメータを設定し；
ステップ903：ネットワーク装置がユーザ装置に、選択されたCSI-RSリソースが変わっているかの確定時にCSI-RSリソースとSSBの疑似コロケーションの関係を考慮するかの規則、及び／又は、CSI-RSリソースとSSBの疑似コロケーションの関係を考慮した場合の選択されたCSI-RSリソースが変わっているかの確定の規則及び／又はCSI-RSリソースとSSBの疑似コロケーションの関係を設定し；
ステップ904：ユーザ装置がSSB及びCSI-RSリソースのうちの任意の1つを選択し；
ステップ905：ユーザ装置が、設定された規則に基づいて、選択されたSSB及びCSI-RSリソースのうちの任意の1つの変化状況を確定し；
ステップ906：ユーザ装置が、選択されたSSB及びCSI-RSリソースのうちの任意の1つの変化状況に基づいて、ターゲット受信パワーを上げるかを確定し；
ステップ907：ユーザ装置が、ターゲット受信パワーを上げるかに基づいて、その使用するパワーランピングに関するカウンターを1増やすかを確定し；
ステップ908：ユーザ装置が、ターゲット受信パワーを上げると確定した場合、その使用するパワーランピングに関するカウンターを1増やし、ターゲット受信パワーを上げないと確定した場合、該カウンターを不変に維持し；
ステップ909：ユーザ装置が、ネットワーク装置により設定されたパラメータ及び該カウンターの値に基づいて、ターゲット受信パワーを計算する。
【０２０４】
本実施例では、ステップ903が無くても良く、即ち、ネットワーク装置が該規則を設定しなくても良い。この場合、該規則は事前定義されても良く、例えば、規格（標準）により定義されても良い。このようにすると、ステップ905では、ユーザ装置が該事前定義の規則に基づいて、選択されたSSB及びCSI-RSリソースのうちの任意の1つの変化状況を確定することができる。
【０２０５】
図10は本発明の実施例7におけるパワーの確定方法を示すもう1つの図である。図10に示すように、該方法は以下のようなステップを含む。
【０２０６】
ステップ1001：ネットワーク装置がユーザ装置に、SSB及びCSI-RSリソースが共用するパワーランピングに関するカウンター、又は、SSB専用のパワーランピングに関するカウンター及びCSI-RSリソース専用のパワーランピングに関するカウンターを設定し；及び／又は
ステップ1002：ネットワーク装置がユーザ装置に、ターゲット受信パワーを計算するためのSSB及びCSI-RSリソースが共用するパラメータ、又は、ターゲット受信パワーを計算するためのSSB専用のパラメータ及びCSI-RSリソース専用のパラメータを設定し；
ステップ1003：ネットワーク装置がユーザ装置に、選択されたCSI-RSリソースが変わっているかの確定時にCSI-RSリソースとSSBの疑似コロケーションの関係を考慮するかの規則、及び／又は、CSI-RSリソースとSSBの疑似コロケーションの関係を考慮した場合の選択されたCSI-RSリソースが変わっているかの確定の規則及び／又はCSI-RSリソースとSSBの疑似コロケーションの関係を設定し；
ステップ1004：ユーザ装置がSSB及びCSI-RSリソースのうちの任意の1つを選択し；
ステップ1005：ユーザ装置が、選択されたSSB又はCSI-RSリソースに基づいて、又は、選択されたSSB又はCSI-RSリソースに対応するランダムアクセスリソース及びランダムアクセスプリアンブルのインデックスに基づいて、空間領域送信フィルターを変えるかを確定し；
ステップ1006：ユーザ装置が、空間領域送信フィルターを変えるかに基づいて、パワーランピングに関するカウンターのサスペンド指示を送信するかを確定し；
ステップ1007：ユーザ装置が、設定された規則に基づいて、選択されたSSB及びCSI-RSリソースのうちの任意の1つの変化状況を確定し；
ステップ1008：ユーザ装置が、選択されたSSB及びCSI-RSリソースのうちの任意の1つの変化状況、及び、パワーランピングに関するカウンターのサスペンド指示を受信したかに基づいて、ターゲット受信パワーを上げるかを確定し；
ステップ1009：ユーザ装置が、ターゲット受信パワーを上げるかに基づいて、その使用するパワーランピングに関するカウンターを1増やすかを確定し；
ステップ1010：ユーザ装置が、ターゲット受信パワーを上げると確定した場合、その使用するパワーランピングに関するカウンターを1増やし、ターゲット受信パワーを上げないと確定した場合、該カウンターを不変に維持し；
ステップ1011：ユーザ装置が、ネットワーク装置により設定されたパラメータ及び該カウンターの値に基づいて、ターゲット受信パワーを計算する。
【０２０７】
本実施例では、ステップ1003が無くても良く、即ち、ネットワーク装置が該規則を設定しなくても良い。この場合、該規則は事前定義されても良く、例えば、規格（標準）により定義されても良い。そうすれば、ステップ1007では、ユーザ装置が該事前定義の規則に基づいて、選択されたSSB及びCSI-RSリソースのうちの任意の1つの変化状況を確定することができる。
【０２０８】
なお、上述の各ステップの実施方法については実施例1〜6における記載を参照することができ、ここではその詳しい説明を省略する。
【０２０９】
上述の実施例によれば、選択されたSSB及びCSI-RSリソースのうちの任意の1つの変化状況に基づいて、ターゲット受信パワーを上げるかを確定することで、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。
【実施例８】
【０２１０】
本発明の実施例はさらにパワーの確定装置を提供し、それはユーザ装置側に応用される。該装置は実施例1〜5に記載のパワーの確定方法に対応し、その具体的な実施は実施例1を参照することができ、ここでは重複記載を省略する。
【０２１１】
図11は本発明の実施例8におけるパワーの確定装置を示す図である。図11に示すように、パワーの確定装置1100は以下のようなものを含む。
【０２１２】
第一確定ユニット1101：選択された同期信号ブロック（SSB）及びチャネル状態情報参照信号（CSI-RS）リソースのうちの任意の1つの変化状況に基づいて、ターゲット受信パワーを上げるかを確定するために用いられる。
【０２１３】
そのうち、選択されたSSB又はCSI-RSリソースはランダムアクセス（RA）リソースを確定するために用いられ、ターゲット受信パワーはランダムアクセスプリアンブルの送信パワーを確定するために用いられる。
【０２１４】
本実施例では、装置1100はさらに以下のようなものを含んでも良い。
【０２１５】
第二確定ユニット1102：現在に選択されたSSB又はCSI-RSリソースと、前回選択されたSSB又はCSI-RSリソースとの比較結果に基づいて、又は、現在に選択されたSSB又はCSI-RSリソースと、その前に選択されたすべてのSSB及び／又はCSI-RSリソースとの比較結果に基づいて、選択されたSSB及びCSI-RSリソースのうちの任意の1つの変化状況を確定するために用いられる。
【０２１６】
本実施例では、装置1100はさらに次のようなものを含んでも良い。
【０２１７】
計数ユニット1103：ターゲット受信パワーを上げると確定した場合、SSB及びCSI-RSリソースが共用するパワーランピングに関するカウンターを1増やし、又は、SSB専用のパワーランピングに関するカウンター又はCSI-RSリソース専用のパワーランピングに関するカウンターを1増やすために用いられ；及び
計算ユニット1104：パワーランピングに関するカウンターの値と所定値との差と、所定ステップ長との積、ターゲット受信パワー初期値、及びプリアンブルパラメータに基づいて、ターゲット受信パワーを計算するために用いられる。
【０２１８】
本実施例では、装置1100はさらに次のようなものを含んでも良い。
【０２１９】
第三確定ユニット1105：空間領域送信フィルターを変えるかに基づいて、パワーランピングに関するカウンターのサスペンド指示を送信するかを確定するために用いられる。
【０２２０】
このような場合、第一確定ユニット1101は、選択されたSSB及びCSI-RSリソースのうちの任意の1つの変化状況、及び、パワーランピングに関するカウンターのサスペンド指示を受信したかに基づいて、ターゲット受信パワーを上げるかを確定するために用いられる。
【０２２１】
本実施例では、第三確定ユニット1105は選択可能な部品であっても良い。
【０２２２】
図12は本発明の実施例8におけるパワーの確定装置を示すもう1つの図である。図12に示すように、パワーの確定装置1200は以下のようなものを含む。
【０２２３】
第一確定ユニット1201：選択されたSSB及びCSI-RSリソースのうちの任意の1つの変化状況に基づいて、パワーに関するカウンターを1増やすかを確定するために用いられる。
【０２２４】
本実施例では、該装置1200はさらに以下のようなものであっても良い。
【０２２５】
第二確定ユニット1202：現在に選択されたSSB又はCSI-RSリソースと、前回選択されたSSB又はCSI-RSリソースとの比較結果に基づいて、又は、現在に選択されたSSB又はCSI-RSリソースと、その前に選択されたすべてのSSB及び／又はCSI-RSリソースとの比較結果に基づいて、選択されたSSB及びCSI-RSリソースのうちの任意の1つの変化状況を確定するために用いられる。
【０２２６】
本実施例では、該装置1200はさらに以下のようなものを含んでも良い。
【０２２７】
計数ユニット1203：第一確定ユニット1201の確定結果に基づいて、パワーに関するカウンターをメンテナンスし、即ち、将該カウンターを1増やす又は不変に維持するために用いられ；
計算ユニット1204：パワーランピングに関するカウンターの値と所定値との差と、所定ステップ長との積、ターゲット受信パワー初期値、及びプリアンブルパラメータに基づいて、ターゲット受信パワーを計算するために用いられる。
【０２２８】
本実施例では、該装置1200はさらに以下のようなものを含んでも良い。
【０２２９】
第三確定ユニット1205：空間領域送信フィルターを変えるかに基づいて、パワーランピングに関するカウンターのサスペンド指示を送信するかを確定するために用いられる。
【０２３０】
このような場合、第一確定ユニット1201は、選択されたSSB及びCSI-RSリソースのうちの任意の1つの変化状況、及び、パワーランピングに関するカウンターのサスペンド指示を受信したかに基づいて、パワーに関するカウンターを1増やすかを確定するために用いられる。
【０２３１】
本実施例では、以上の各ユニットの機能の具体的な実現は実施例1〜5における対応するステップの記載を参照することができ、ここではその詳しい説明を省略する。
【０２３２】
上述の実施例によれば、選択されたSSB及びCSI-RSリソースのうちの任意の1つの変化状況に基づいて、ターゲット受信パワーを上げるかを確定することで、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。
【実施例９】
【０２３３】
本発明の実施例はさらにパワーの確定装置を提供し、それはネットワーク装置側に応用される。該装置は実施例6に記載のパワーの確定方法に対応し、その具体的な実施は実施例6を参照することができ、ここでは重複説明を省略する。
【０２３４】
図13は本発明の実施例9におけるパワーの確定装置を示す図である。図13に示すように、パワーの確定装置1300は以下のようなものを含んでも良い。
【０２３５】
第一設定ユニット1301：ユーザ装置に、SSB及びCSI-RSリソースが共用するパワーランピングに関するカウンター、又は、SSB専用のパワーランピングに関するカウンター及びCSI-RSリソース専用のパワーランピングに関するカウンターを設定するために用いられ；及び／又は
第二設定ユニット1302：ユーザ装置に、ターゲット受信パワーを計算するためのSSB及びCSI-RSリソースが共用するパラメータ、又は、ターゲット受信パワーを計算するためのSSB専用のパラメータ及びCSI-RSリソース専用のパラメータを設定するために用いられる。
【０２３６】
本実施例では、該装置1300はさらに以下のようなものを含んでも良い。
【０２３７】
第三設定ユニット1303：ユーザ装置に、選択されたCSI-RSリソースが変わっているかの確定時にCSI-RSリソースとSSBの疑似コロケーションの関係を考慮するかの規則、及び／又は、ユーザ装置に、CSI-RSリソースとSSBの疑似コロケーションの関係を考慮した場合の選択されたCSI-RSリソースが変わっているかの確定の規則及び／又はCSI-RSリソースとSSBの疑似コロケーションの関係を設定するために用いられる。
【０２３８】
本実施例では、以上の各ユニットの機能の具体的な実現は実施例6における対応するステップの記載を参照することができ、ここではその詳しい説明を省略する。
【０２３９】
上述の実施例によれば、ユーザ装置に、SSB及び／又はCSI-RSリソースに関する、パワーランピングに関するカウンター及び／又はターゲット受信パワーを計算するためのパラメータを設定することで、ユーザ装置は該設定に基づいて、また、選択されたSSB及びCSI-RSリソースのうちの任意の1つの変化状況に基づいて、ターゲット受信パワーを上げるかを確定することができる。そのため、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。
【実施例１０】
【０２４０】
本発明の実施例はさらにユーザ装置を提供し、該ユーザ装置は実施例8に記載のパワーの確定装置を含む。
【０２４１】
図14は本発明の実施例10におけるユーザ装置のシステム構成図である。図14に示すように、ユーザ装置1400は処理器1410及び記憶器1420を含んでも良く、記憶器1420は処理器1410に接続される。なお、該図は例示に過ぎず、該構造に対して他の類型の構造を用いて補充又は代替を行うことにより、電気通信機能又は他の機能を実現しても良い。
【０２４２】
1つの実施方式において、パワーの確定装置の機能が処理器1410に統合されても良い。そのうち、処理器1410は次のように構成されても良く、即ち、選択された同期信号ブロック（SSB）及びチャネル状態情報参照信号（CSI-RS）リソースのうちの任意の1つの変化状況に基づいて、ターゲット受信パワーを上げるかを確定し、そのうち、選択された前記SSB又はCSI-RSリソースはランダムアクセス（RA）リソースを確定するために用いられ、前記ターゲット受信パワーはランダムアクセスプリアンブルの送信パワーを確定するために用いられる。
【０２４３】
例えば、選択されたSSB及びCSI-RSリソースのうちの任意の1つが変わらない場合、前記ターゲット受信パワーを上げると確定する。
【０２４４】
例えば、選択されたSSBが変わっている場合、前記ターゲット受信パワーを上げないと確定し、選択されたSSBが変わっている以外の他の場合、前記ターゲット受信パワーを上げると確定する。
【０２４５】
例えば、選択されたSSB及びCSI-RSリソースのうちの任意の1つが変わらない場合、前記ターゲット受信パワーを上げると確定し、選択されたSSB及びCSI-RSリソースのうちの任意の1つが変わらない場合以外の他の場合、前記ターゲット受信パワーを上げないと確定する。
【０２４６】
例えば、選択されたSSB及びCSI-RSリソースのうちの任意の1つが変わっている場合、前記ターゲット受信パワーを上げないと確定し、選択されたSSB及びCSI-RSリソースのうちの任意の1つが変わっている場合以外の他の場合、前記ターゲット受信パワーを上げると確定する。
【０２４７】
例えば、選択されたSSBが変わっている又は選択されたCSI-RSリソースと疑似コロケーションされるSSBが変わっている場合、前記ターゲット受信パワーを上げないと確定し、選択されたSSBが変わっている及び選択されたCSI-RSリソースと疑似コロケーションされるSSBが変わっている場合以外の他の場合、前記ターゲット受信パワーを上げると確定する。
【０２４８】
例えば、処理器1410はさらに次のように構成されても良く、即ち、前記ターゲット受信パワーを上げると確定した場合、SSB及びCSI-RSリソースが共用するパワーランピングに関するカウンターを1増やし、又は、SSB専用のパワーランピングに関するカウンター又はCSI-RSリソース専用のパワーランピングに関するカウンターを1増やす。
【０２４９】
例えば、処理器1410はさらに次のように構成されても良く、即ち、パワーランピングに関するカウンターの値と所定値との差と、所定ステップ長との積、ターゲット受信パワー初期値、及びプリアンブルパラメータに基づいて、前記ターゲット受信パワーを計算する。
【０２５０】
もう1つの実施方式において、パワーの確定装置が処理器1410と別々で構成されも良く、例えば、パワーの確定装置を、処理器1410に接続されるチップとして構成し、処理器1410の制御によりパワーの確定装置の機能を実現しも良い。
【０２５１】
図14に示すように、該ユーザ装置1400はさらに次のようなものを含んでも良く、即ち、通信モジュール1430、入力ユニット1440、表示器1450、電源1460である。なお、ユーザ装置1400は図14に示すすべての部品を含む必要がない。また、ユーザ装置1400はさらに図14に示さない部品を含んでも良く、これについては関連技術を参照することができる。
【０２５２】
図14に示すように、処理器1410は制御器又は操作コントローラと称される場合もあり、マイクロプロセッサ又は他の処理器装置及び／又は論理装置を含んでも良く、該処理器1410は入力を受信してユーザ装置1400の各部品の操作を制御することができる。
【０２５３】
そのうち、記憶器1420は、例えば、バッファ、フレッシュメモリ、ＨＤＤ、移動可能な媒体、揮発性記憶器、不揮発性記憶器又は他の適切な装置のうちの1つ又は複数であっても良く、各種のデータ、情報処理用のプログラムなどを記憶することができる。また、処理器1410は、該記憶器1420に記憶の該プログラムを実行して、情報の記憶又は処理などを実現することができる。他の部品の機能が従来と同様であるため、ここではその詳しい説明を省略する。また、ユーザ装置1400の各部品は専用ハードウェア、ファームウェア、ソフトウェア又はその組み合わせにより実現することもできるが、これらは、すべて、本発明の範囲に属する。
【０２５４】
上述の実施例によれば、選択されたSSB及びCSI-RSリソースのうちの任意の1つの変化状況に基づいて、ターゲット受信パワーを上げるかを確定することで、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。
【実施例１１】
【０２５５】
本発明の実施例はさらにネットワーク装置を提供し、該ネットワーク装置は実施例9に記載のパワーの確定装置を含む。
【０２５６】
図15は本発明の実施例11におけるネットワーク装置の構成図である。図15に示すように、ネットワーク装置1500は処理器（processor）1510及び記憶器1520を含んでも良く、記憶器1520は処理器1510に接続される。そのうち、該記憶器1520は各種のデータ、情報処理用のプログラム1530などを記憶することができ、また、処理器1510の制御下で該プログラム1530を実行することで、ユーザ装置送信の各種情報を受信し、ユーザ装置に各種の情報を送信することもできる。
【０２５７】
1つの実施方式において、パワーの確定装置の機能が処理器1510に統合されても良い。そのうち、処理器1510は次のように構成されても良く、即ち、ユーザ装置に、SSB及びCSI-RSリソースが共用するパワーランピングに関するカウンター、又は、SSB専用のパワーランピングに関するカウンター及びCSI-RSリソース専用のパワーランピングに関するカウンターを設定し；及び／又は、ユーザ装置に、ターゲット受信パワーを計算するためのSSB及びCSI-RSリソースが共用するパラメータ、又は、ターゲット受信パワーを計算するためのSSB専用のパラメータ及びCSI-RSリソース専用のパラメータを設定する。
【０２５８】
例えば、処理器1510はさらに次のように構成されても良く、即ち、ユーザ装置に、選択されたCSI-RSリソースが変わっているかの確定時にCSI-RSリソースとSSBの疑似コロケーションの関係を考慮するかの規則、及び／又は、ユーザ装置に、CSI-RSリソースとSSBの疑似コロケーションの関係を考慮した場合の選択されたCSI-RSリソースが変わっているかの確定の規則及び／又はCSI-RSリソースとSSBの疑似コロケーションの関係を設定する。
【０２５９】
もう1つの実施方式において、パワーの確定装置が処理器1510と別々で構成されても良く、例えば、パワーの確定装置を、処理器1510に接続されるチップとして構成し、処理器1510の制御によりパワーの確定装置の機能を実現しても良い。
【０２６０】
また、図15に示すように、ネットワーク装置1500はさらに、送受信機1540及びアンテナ1550などを含んでも良く、そのうち、これらの部品の機能が従来と同様であるから、ここではその詳しい説明を省略する。なお、ネットワーク装置1500は図15に示すすべての部品をふくむ必要がない。また、ネットワーク装置1500はさらに、図15に示さない部品を含んでも良く、これについては従来技術を参照することができる。
【０２６１】
上述の実施例によれば、ユーザ装置に、SSB及び／又はCSI-RSリソースに関する、パワーランピングに関するカウンター及び／又はターゲット受信パワーを計算するためのパラメータを設定することで、ユーザ装置は該設定に基づいて、また、選択されたSSB及びCSI-RSリソースのうちの任意の1つの変化状況に基づいて、ターゲット受信パワーを上げるかを確定することができる。そのため、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。
【実施例１２】
【０２６２】
本発明の実施例はさらに通信システムを提供し、それは実施例10に記載のユーザ装置及び／又は実施例11に記載のネットワーク装置を含む。
【０２６３】
例えば、該通信システムの構成は図1を参照することができ、図1に示すように、通信システム100はネットワーク装置101及びユーザ装置102を含み、ユーザ装置102は実施例10に記載のユーザ装置と同じであり、ネットワーク装置101は実施例11に記載のネットワーク装置と同じであり、ここでは重複内容を省略する。
【０２６４】
上述の実施例によれば、ユーザ装置に、SSB及び／又はCSI-RSリソースに関する、パワーランピングに関するカウンター及び／又はターゲット受信パワーを計算するためのパラメータを設定することで、ユーザ装置は該設定に基づいて、また、選択されたSSB及びCSI-RSリソースのうちの任意の1つの変化状況に基づいて、ターゲット受信パワーを上げるかを確定することができる。そのため、CSI-RSリソースの選択の場合を考慮しているから、必要な場合にパワーランピングを行い、無駄な再送を避けることができる。これにより、ランダムアクセスの成功率を向上させ、UEのパワー消費を低減することができる。
【０２６５】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、FPGA（Field  Programmable  Gate  Array）、マイクロプロセッサ、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０２６６】
さらに、図面に記載の機能ブロックのうちの1つ又は複数の組み合わせ及び／又は機能ブロックの1つ又は複数の組み合わせは、本明細書に記載の機能を実行するための汎用処理器、デジタル信号処理器（DSP）、特定用途向け集積回路（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの1つ又は複数の組み合わせ及び／又は機能ブロックの1つ又は複数の組み合わせは、さらに、計算装置の組み合わせ、例えば、DSP及びマイクロプロセッサの組み合わせ、複数のマイクロプロセッサ、DSPと通信により接続される1つ又は複数のマイクロプロセッサ又は他の任意の構成の組み合わせとして構成されても良い。
【０２６７】
以上、本発明の好ましい実施形態を説明したが、本発明はこのような実施形態に限定されず、本発明の趣旨を離脱しない限り、本発明に対するあらゆる変更は本発明の技術的範囲に属する。
【０２６８】
また、上述の実施例などに関し、さらに以下の付記を開示する。
【０２６９】
（付記1）
パワーの確定装置であって、
選択された同期信号ブロック（SSB）及びチャネル状態情報参照信号（CSI-RS）リソースのうちの任意の1つの変化状況に基づいて、ターゲット受信パワーを上げるかを確定するための第一確定ユニットを含み、
そのうち、選択された前記SSB又はCSI-RSリソースはランダムアクセス（RA）リソースを確定するために用いられ、前記ターゲット受信パワーはランダムアクセスプリアンブルの送信パワーを確定するために用いられる、装置。
【０２７０】
（付記2）
付記1に記載の装置であって、
前記第一確定ユニットは、選択されたSSB及びCSI-RSリソースのうちの任意の1つが変わらない場合、前記ターゲット受信パワーを上げると確定する、装置。
【０２７１】
（付記3）
付記1又は2に記載の装置であって、
前記第一確定ユニットは、
選択されたSSBが変わっている場合、前記ターゲット受信パワーを上げないと確定し、
選択されたSSBが変わっている以外の他の場合、前記ターゲット受信パワーを上げると確定する、装置。
【０２７２】
（付記4）
付記1又は2に記載の装置であって、
前記第一確定ユニットは、
選択されたSSB及びCSI-RSリソースのうちの任意の1つが変わらない場合、前記ターゲット受信パワーを上げると確定し、
選択されたSSB及びCSI-RSリソースのうちの任意の1つが変わらない場合以外の他の場合、前記ターゲット受信パワーを上げないと確定する、装置。
【０２７３】
（付記5）
付記1又は2に記載の装置であって、
前記第一確定ユニットは、
選択されたSSB及びCSI-RSリソースのうちの任意の1つが変わっている場合、前記ターゲット受信パワーを上げないと確定し、
選択されたSSB及びCSI-RSリソースのうちの任意の1つが変わっている場合以外の他の場合、前記ターゲット受信パワーを上げると確定する、装置。
【０２７４】
（付記6）
付記1又は2に記載の装置であって、
前記第一確定ユニットは、
選択されたSSBが変わっている又は選択されたCSI-RSリソースと疑似コロケーションされるSSBが変わっている場合、前記ターゲット受信パワーを上げないと確定し、
選択されたSSBが変わっている及び選択されたCSI-RSリソースと疑似コロケーションされるSSBが変わっている場合以外の他の場合、前記ターゲット受信パワーを上げると確定する、装置。
【０２７５】
（付記7）
付記1に記載の装置であって、
前記第一確定ユニットは、選択されたSSBの種類が変わっている又は選択されたCSI-RSリソースの種類が変わっている場合、或いは、選択されたSSB又はCSI-RSリソースの種類が変わらないが、選択された物理リソースが変わっている場合、前記ターゲット受信パワーを上げないと確定する、装置。
【０２７６】
（付記8）
付記6に記載の装置であって、
前記第一確定ユニットは、
現在に選択されたSSBが前回選択されたSSBと同じである場合、又は、
現在に選択されたSSBがその前に選択されたすべてのSSBのうちの少なくとも1つと同じである場合、又は、
現在に選択されたSSBが前回選択されたCSI-RSリソースと疑似コロケーションされるSSBと同じである場合、又は、
現在に選択されたSSBがその前に選択されたすべてのCSI-RSリソースと疑似コロケーションされるSSBのうちの任意の1つと同じである場合、又は、
現在に選択されたCSI-RSリソースが前回選択されたCSI-RSリソースと同じである場合、又は、
現在に選択されたCSI-RSリソースがその前に選択されたすべてのCSI-RSリソースのうちの少なくとも1つと同じである場合、又は、
現在に選択されたCSI-RSリソースが前回選択されたCSI-RSリソースとは異なり、且つ現在に選択されたCSI-RSリソースと疑似コロケーションされるSSBが前回選択されたCSI-RSリソースと疑似コロケーションされるSSBと同じである場合、又は、
現在に選択されたCSI-RSリソースがその前に選択されたすべてのCSI-RSリソースとは異なり、且つ現在に選択されたCSI-RSリソースと疑似コロケーションされるSSBがその前に選択されたすべてのCSI-RSリソースと疑似コロケーションされるSSBのうちの少なくとも1つと同じである場合、又は、
現在に選択されたCSI-RSリソースと疑似コロケーションされるSSBが前回選択されたSSBと同じである場合、又は、
現在に選択されたCSI-RSリソースと疑似コロケーションされるSSBがその前に選択されたすべてのSSBのうちの少なくとも1つと同じである場合、又は、
現在に選択されたCSI-RSリソースと疑似コロケーションされるSSBがその前に選択されたすべてのSSBとは異なり、且つその前に選択されたすべてのCSI-RSとは異なり、また、現在に選択されたCSI-RSリソースと疑似コロケーションされるSSBがその前に選択された少なくとも1つのCSI-RSリソースと疑似コロケーションされるSSBと同じである場合、前記ターゲット受信パワーを上げると確定する、装置。
【０２７７】
（付記9）
付記6又は8に記載の装置であって、
前記第一確定ユニットは、
現在に選択されたSSBが前回選択されたSSBとは異なる場合、又は、
現在に選択されたSSBがその前に選択されたすべてのSSBとは異なる場合、又は、
現在に選択されたSSBが前回選択されたCSI-RSリソースと疑似コロケーションされるSSBとは異なる場合、又は、
現在に選択されたSSBがその前に選択されたすべてのCSI-RSリソースと疑似コロケーションされるSSBとは異なる場合、又は、
現在に選択されたSSBがその前に選択されたすべてのSSBとは異なり、また、現在に選択されたSSBがその前に選択されたすべてのCSI-RSリソースと疑似コロケーションされるSSBとは異なる場合、又は、
現在に選択されたCSI-RSリソースと疑似コロケーションされるSSBが前回選択されたSSBとは異なる場合、又は、
現在に選択されたCSI-RSリソースと疑似コロケーションされるSSBがその前に選択されたすべてのSSBとは異なる場合、又は、
現在に選択されたCSI-RSリソースと疑似コロケーションされるSSBが前回選択されたCSI-RSリソースと疑似コロケーションされるSSBとは異なる場合、又は、
現在に選択されたCSI-RSリソースと疑似コロケーションされるSSBがその前に選択されたすべてのCSI-RSリソースと疑似コロケーションされるSSBとは異なる場合、又は、
現在に選択されたCSI-RSリソースと疑似コロケーションされるSSBがその前に選択されたすべてのSSBとは異なり、また、現在に選択されたCSI-RSリソースと疑似コロケーションされるSSBがその前に選択されたすべてのCSI-RSリソースと疑似コロケーションされるSSBとは異なる場合、又は、
現在に選択されたCSI-RSリソースが前回選択されたCSI-RSリソースとは異なり、また、現在に選択されたCSI-RSリソースと疑似コロケーションされるSSBが前回選択されたCSI-RSリソースと疑似コロケーションされるSSBと同じである場合、又は、
現在に選択されたCSI-RSリソースがその前に選択されたすべてのCSI-RSリソースとは異なり、また、現在に選択されたCSI-RSリソースと疑似コロケーションされるSSBがその前に選択された少なくとも1つのCSI-RSリソースと疑似コロケーションされるSSBと同じである場合、又は、
現在に選択されたCSI-RSリソースと疑似コロケーションされるSSBがその前に選択されたすべてのSSBとは異なり、且つその前に選択されたすべてのCSI-Rとは異なり、また、現在に選択されたCSI-RSリソースと疑似コロケーションされるSSBがその前に選択されたすべてのCSI-RSリソースと疑似コロケーションされるSSBとは異なる場合、又は、
現在に選択されたCSI-RSリソースと疑似コロケーションされるSSBがその前に選択されたすべてのSSBとは異なり、且つその前に選択されたすべてのCSI-RSとは異なり、また、現在に選択されたCSI-RSリソースと疑似コロケーションされるSSBがその前に選択された少なくとも1つのCSI-RSリソースと疑似コロケーションされるSSBと同じである場合、前記ターゲット受信パワーを上げないと確定する、装置。
【０２７８】
（付記10）
付記1〜9のうちの任意の1項に記載の装置であって、
第二確定ユニットをさらに含み、それは、現在に選択されたSSB又はCSI-RSリソースと、前回選択されたSSB又はCSI-RSリソースとの比較結果、或いは、現在に選択されたSSB又はCSI-RSリソースと、その前に選択されたすべてのSSB及び／又はCSI-RSリソースとの比較結果に基づいて、前記選択されたSSB及びCSI-RSリソースのうちの任意の1つの変化状況を確定する、装置。
【０２７９】
（付記11）
付記1〜10のうちの任意の1項に記載の装置であって、
計数ユニットをさらに含み、それは、前記ターゲット受信パワーを上げると確定した場合、SSB及びCSI-RSリソースが共用するパワーランピングに関するカウンターを1増やし、又は、SSB専用のパワーランピングに関するカウンター又はCSI-RSリソース専用のパワーランピングに関するカウンターを1増やす、装置。
【０２８０】
（付記12）
付記1〜11のうちの任意の1項に記載の装置であって、
計算ユニットをさらに含み、それは、パワーランピングに関するカウンターの値と所定値との差と、所定ステップ長との積、ターゲット受信パワー初期値、及びプリアンブルパラメータに基づいて、前記ターゲット受信パワーを計算する、装置。
【０２８１】
（付記13）
付記12に記載の装置であって、
SSB専用のパワーランピングに関するカウンター及び／又はCSI-RSリソース専用のパワーランピングに関するカウンターを使用する場合、前記所定値は、使用するリソース専用のパワーランピングに関するカウンターの数、SSB専用のパワーランピングに関するカウンターの初期値、及び／又は、CSI-RSリソース専用のパワーランピングに関するカウンターの初期値に基づいて確定される、装置。
【０２８２】
（付記14）
付記12に記載の装置であって、
前記計算ユニットは、パワーランピングに関するカウンターの値と所定値との差と、SSB又はCSI-RSリソース専用又は両者が共用する所定ステップ長との積、SSB又はCSI-RSリソース専用又は両者が共用するターゲット受信パワー初期値、及びSSB又はCSI-RSリソース専用又は両者が共用するプリアンブルパラメータに基づいて、前記ターゲット受信パワーを計算する、装置。
【０２８３】
（付記15）
付記1〜14のうちの任意の1項に記載の装置であって、
第三確定ユニットをさらに含み、それは、空間領域送信フィルターを変えるかに基づいて、前記パワーランピングに関するカウンターのサスペンド指示を送信するかを確定し、
前記第一確定ユニットは、選択されたSSB及びCSI-RSリソースのうちの任意の1つの変化状況、及び、パワーランピングに関するカウンターのサスペンド指示を受信したかに基づいて、ターゲット受信パワーを上げるかを確定する、装置。
【０２８４】
（付記16）
付記15に記載の装置であって、
送信ユニットをさらに含み、
ランダムアクセスプリアンブルの再送の場合、又は、ランダムアクセスプリアンブルの初めての伝送又は再送の場合、
MAC層がランダムアクセスプリアンブル伝送プロシージャの実行を開始する前に、
前記送信ユニットは、MAC層に、選択されたSSBのインデックス又は選択されたCSI-RSリソースのID又は選択されたCSI-RSリソースと疑似コロケーションされるSSBのインデックスを物理層に送信させ、又は、
前記送信ユニットは、MAC層に、選択されたSSB又はCSI-RSリソースに対応するランダムアクセスリソース及びランダムアクセスプリアンブルのインデックスを物理層に送信させる、装置。
【０２８５】
（付記17）
パワーの確定装置であって、
ユーザ装置に、SSB及びCSI-RSリソースが共用するパワーランピングに関するカウンター、又は、SSB専用のパワーランピングに関するカウンター及びCSI-RSリソース専用のパワーランピングに関するカウンターを設定するための第一設定ユニット；及び／又は
ユーザ装置に、ターゲット受信パワーを計算するためのSSB及びCSI-RSリソースが共用するパラメータ、又は、ターゲット受信パワーを計算するためのSSB専用のパラメータ及びCSI-RSリソース専用のパラメータを設定するための第二設定ユニットを含む、装置。
【０２８６】
（付記18）
付記17に記載の装置であって、
前記ターゲット受信パワーを計算するためのSSB専用のパラメータは、以下のパラメータのうちの少なくとも1つを含み、即ち、SSB専用の所定ステップ長、SSB専用のターゲット受信パワー初期値、及びSSB専用のプリアンブルパラメータであり、
前記ターゲット受信パワーを計算するためのCSI-RSリソース専用のパラメータは、以下のパラメータのうちの少なくとも1つを含み、即ち、CSI-RSリソース専用の所定ステップ長、CSI-RSリソース専用のターゲット受信パワー初期値、及びCSI-RSリソース専用のプリアンブルパラメータである、装置。
【０２８７】
（付記19）
付記17又は18に記載の装置であって、
第三設定ユニットをさらに含み、それは、ユーザ装置に、選択されたCSI-RSリソースが変わっているかの確定時にCSI-RSリソースとSSBの疑似コロケーションの関係を考慮するかの規則、及び／又は、ユーザ装置に、CSI-RSリソースとSSBの疑似コロケーションの関係を考慮した場合の選択されたCSI-RSリソースが変わっているかの確定の規則及び／又はCSI-RSリソースとSSBの疑似コロケーションの関係を設定する、装置。
【０２８８】
（付記20）
付記19に記載の装置であって、
前記疑似コロケーションの関係がRRC専用シグナリングにより設定される、装置。
【０２８９】
（付記21）
付記19に記載の装置であって、
前記疑似コロケーションの関係が測定対象の設定により設定され、及び／又は
前記疑似コロケーションの関係が候補ビームと一緒に設定される、装置。
【０２９０】
（付記22）
付記19に記載の装置であって、
前記CSI-RSリソースとSSBの疑似コロケーションの関係は、
前記CSI-RSリソースが任意のSSBと疑似コロケーションされ；又は、
前記CSI-RSリソースと、すべてのSSBとの間に疑似コロケーションの関係が存在せず；又は、
前記CSI-RSリソースが事前定義又は事前設定された少なくとも1つのSSBと疑似コロケーションされることを含む、装置。
【０２９１】
（付記23）
ユーザ装置であって、
前記ユーザ装置は付記1〜16のうちの任意の1項に記載の装置を含む、ユーザ装置。
【０２９２】
（付記24）
ネットワーク装置であって、
前記ネットワーク装置は付記17〜22のうちの任意の1項に記載の装置を含む、ネットワーク装置。
【０２９３】
（付記25）
通信システムであって、
前記通信システムは付記23に記載のユーザ装置及び／又は付記24に記載のネットワーク装置を含む、通信システム。
【０２９４】
（付記26）
パワーの確定方法であって、
選択された同期信号ブロック（SSB）及びチャネル状態情報参照信号（CSI-RS）リソースのうちの任意の1つの変化状況に基づいて、ターゲット受信パワーを上げるかを確定することを含み、
そのうち、選択された前記SSB又はCSI-RSリソースはランダムアクセス（RA）リソースを確定するために用いられ、前記ターゲット受信パワーはランダムアクセスプリアンブルの送信パワーを確定するために用いられる、方法。
【０２９５】
（付記27）
付記26に記載の方法であって、
選択されたSSB及びCSI-RSリソースのうちの任意の1つが変わらない場合、前記ターゲット受信パワーを上げると確定する、方法。
【０２９６】
（付記28）
付記26又は27に記載の方法であって、
選択されたSSBが変わっている場合、前記ターゲット受信パワーを上げないと確定し；
選択されたSSBが変わっている以外の他の場合、前記ターゲット受信パワーを上げると確定する、方法。
【０２９７】
（付記29）
付記26又は27に記載の方法であって、
選択されたSSB及びCSI-RSリソースのうちの任意の1つが変わらない場合、前記ターゲット受信パワーを上げると確定し；
選択されたSSB及びCSI-RSリソースのうちの任意の1つが変わらない場合以外の他の場合、前記ターゲット受信パワーを上げないと確定する、方法。
【０２９８】
（付記30）
付記26又は27に記載の方法であって、
選択されたSSB及びCSI-RSリソースのうちの任意の1つが変わっている場合、前記ターゲット受信パワーを上げないと確定し；
選択されたSSB及びCSI-RSリソースのうちの任意の1つが変わっている場合以外の他の場合、前記ターゲット受信パワーを上げると確定する、方法。
【０２９９】
（付記31）
付記26又は27に記載の方法であって、
選択されたSSBが変わっている又は選択されたCSI-RSリソースと疑似コロケーションされるSSBが変わっている場合、前記ターゲット受信パワーを上げないと確定し；
選択されたSSBが変わっている及び選択されたCSI-RSリソースと疑似コロケーションされるSSBが変わっている場合以外の他の場合、前記ターゲット受信パワーを上げると確定する、方法。
【０３００】
（付記32）
付記26に記載の方法であって、
選択されたSSBの種類が変わっている又は選択されたCSI-RSリソースの種類が変わっている場合、或いは、選択されたSSB又はCSI-RSリソースの種類が変わらないが、選択された物理リソースが変わっている場合、前記ターゲット受信パワーを上げないと確定する、方法。
【０３０１】
（付記33）
付記31に記載の方法であって、
現在に選択されたSSBが前回選択されたSSBと同じである場合、又は、
現在に選択されたSSBがその前に選択されたすべてのSSBのうちの少なくとも1つと同じである場合、又は、
現在に選択されたSSBが前回選択されたCSI-RSリソースと疑似コロケーションされるSSBと同じである場合、又は、
現在に選択されたSSBがその前に選択されたすべてのCSI-RSリソースと疑似コロケーションされるSSBのうちの任意の1つと同じである場合、又は、
現在に選択されたCSI-RSリソースが前回選択されたCSI-RSリソースと同じである場合、又は、
現在に選択されたCSI-RSリソースがその前に選択されたすべてのCSI-RSリソースのうちの少なくとも1つと同じである場合、又は、
現在に選択されたCSI-RSリソースが前回選択されたCSI-RSリソースとは異なり、また、現在に選択されたCSI-RSリソースと疑似コロケーションされるSSBが前回選択されたCSI-RSリソースと疑似コロケーションされるSSBと同じである場合、又は、
現在に選択されたCSI-RSリソースがその前に選択されたすべてのCSI-RSリソースとは異なり、また、現在に選択されたCSI-RSリソースと疑似コロケーションされるSSBがその前に選択されたすべてのCSI-RSリソースと疑似コロケーションされるSSBのうちの少なくとも1つと同じである場合、又は、
現在に選択されたCSI-RSリソースと疑似コロケーションされるSSBが前回選択されたSSBと同じである場合、又は、
現在に選択されたCSI-RSリソースと疑似コロケーションされるSSBがその前に選択されたすべてのSSBのうちの少なくとも1つと同じである場合、又は、
現在に選択されたCSI-RSリソースと疑似コロケーションされるSSBがその前に選択されたすべてのSSBとは異なり、且つその前に選択されたすべてのCSI-RSとは異なり、また、現在に選択されたCSI-RSリソースと疑似コロケーションされるSSBがその前に選択された少なくとも1つのCSI-RSリソースと疑似コロケーションされるSSBと同じである場合、前記ターゲット受信パワーを上げると確定する、方法。
【０３０２】
（付記34）
付記31又は33に記載の方法であって、
現在に選択されたSSBが前回選択されたSSBとは異なる場合、又は、
現在に選択されたSSBがその前に選択されたすべてのSSBとは異なる場合、又は、
現在に選択されたSSBが前回選択されたCSI-RSリソースと疑似コロケーションされるSSBとは異なる場合、又は、
現在に選択されたSSBがその前に選択されたすべてのCSI-RSリソースと疑似コロケーションされるSSBとは異なる場合、又は、
現在に選択されたSSBがその前に選択されたすべてのSSBとは異なり、また、現在に選択されたSSBがその前に選択されたすべてのCSI-RSリソースと疑似コロケーションされるSSBとは異なる場合、又は、
現在に選択されたCSI-RSリソースと疑似コロケーションされるSSBが前回選択されたSSBとは異なる場合、又は、
現在に選択されたCSI-RSリソースと疑似コロケーションされるSSBがその前に選択されたすべてのSSBとは異なる場合、又は、
現在に選択されたCSI-RSリソースと疑似コロケーションされるSSBが前回選択されたCSI-RSリソースと疑似コロケーションされるSSBとは異なる場合、又は、
現在に選択されたCSI-RSリソースと疑似コロケーションされるSSBがその前に選択されたすべてのCSI-RSリソースと疑似コロケーションされるSSBとは異なる場合、又は、
現在に選択されたCSI-RSリソースと疑似コロケーションされるSSBがその前に選択されたすべてのSSBとは異なり、また、現在に選択されたCSI-RSリソースと疑似コロケーションされるSSBがその前に選択されたすべてのCSI-RSリソースと疑似コロケーションされるSSBとは異なる場合、又は、
現在に選択されたCSI-RSリソースが前回選択されたCSI-RSリソースとは異なり、また、現在に選択されたCSI-RSリソースと疑似コロケーションされるSSBが前回選択されたCSI-RSリソースと疑似コロケーションされるSSBと同じである場合、又は、
現在に選択されたCSI-RSリソースがその前に選択されたすべてのCSI-RSリソースと異なり、また、現在に選択されたCSI-RSリソースと疑似コロケーションされるSSBがその前に選択された少なくとも1つのCSI-RSリソースと疑似コロケーションされるSSBと同じである場合、又は、
現在に選択されたCSI-RSリソースと疑似コロケーションされるSSBがその前に選択されたすべてのSSBとは異なり、且つその前に選択されたすべてのCSI-RSとは異なり、また、現在に選択されたCSI-RSリソースと疑似コロケーションされるSSBがその前に選択されたすべてのCSI-RSリソースと疑似コロケーションされるSSBとは異なる場合、又は、
現在に選択されたCSI-RSリソースと疑似コロケーションされるSSBがその前に選択されたすべてのSSBとは異なり、且つその前に選択されたすべてのCSI-RSとは異なり、また、現在に選択されたCSI-RSリソースと疑似コロケーションされるSSBがその前に選択された少なくとも1つのCSI-RSリソースと疑似コロケーションされるSSBと同じである場合、前記ターゲット受信パワーを上げないと確定する、方法。
【０３０３】
（付記35）
付記26〜34のうちの任意の1項に記載の方法であって、さらに、
現在に選択されたSSB又はCSI-RSリソースと、前回選択されたSSB又はCSI-RSリソースとの比較結果、或いは、現在に選択されたSSB又はCSI-RSリソースと、その前に選択されたすべてのSSB及び／又はCSI-RSリソースとの比較結果に基づいて、前記選択されたSSB及びCSI-RSリソースのうちの任意の1つの変化状況を確定することを含む、方法。
【０３０４】
（付記36）
付記26〜35のうちの任意の1項に記載の方法であって、さらに、
前記ターゲット受信パワーを上げると確定した場合、SSB及びCSI-RSリソースが共用するパワーランピングに関するカウンターを1増やし、又は、SSB専用のパワーランピングに関するカウンター又はCSI-RSリソース専用のパワーランピングに関するカウンターを1増やすことを含む、方法。
【０３０５】
（付記37）
付記26〜36のうちの任意の1項に記載の方法であって、さらに、
パワーランピングに関するカウンターの値と所定値との差と、所定ステップ長との積、ターゲット受信パワー初期値、及びプリアンブルパラメータに基づいて、前記ターゲット受信パワーを計算することを含む、方法。
【０３０６】
（付記38）
付記37に記載の方法であって、
SSB専用のパワーランピングに関するカウンター及び／又はCSI-RSリソース専用のパワーランピングに関するカウンターを使用する場合、前記所定値は、使用するリソース専用のパワーランピングに関するカウンターの数、SSB専用のパワーランピングに関するカウンターの初期値、及び／又はCSI-RSリソース専用のパワーランピングに関するカウンターの初期値に基づいて確定される、方法。
【０３０７】
（付記39）
付記37に記載の方法であって、
パワーランピングに関するカウンターの値と所定値との差と、SSB又はCSI-RSリソース専用又は両者が共用する所定ステップ長との積、SSB又はCSI-RSリソース専用又は両者が共用するターゲット受信パワー初期値、及びSSB又はCSI-RSリソース専用又は両者が共用するプリアンブルパラメータに基づいて、前記ターゲット受信パワーを計算する、方法。
【０３０８】
（付記40）
付記26〜39のうちの任意の1項に記載の方法であって、さらに、
空間領域送信フィルターを変えるかに基づいて、前記パワーランピングに関するカウンターのサスペンド指示を送信するかを確定することを含み、
そのうち、選択されたSSB及びCSI-RSリソースのうちの任意の1つの変化状況、及び、パワーランピングに関するカウンターのサスペンド指示を受信したかに基づいて、ターゲット受信パワーを上げるかを確定する、方法。
【０３０９】
（付記41）
付記40に記載の方法であって、さらに、
ランダムアクセスプリアンブルの再送の場合、又は、ランダムアクセスプリアンブルの初めての伝送又は再送の場合、
MAC層がランダムアクセスプリアンブル伝送プロシージャの実行を開始する前に、
MAC層は、選択されたSSBのインデックス又は選択されたCSI-RSリソースのID又は選択されたCSI-RSリソースと疑似コロケーションされるSSBのインデックスを物理層に送信し、又は、
MAC層は、選択されたSSB又はCSI-RSリソースに対応するランダムアクセスリソース及びランダムアクセスプリアンブルのインデックスを物理層に送信することを含む、方法。
【０３１０】
（付記42）
パワーの確定方法であって、
ユーザ装置に、SSB及びCSI-RSリソースが共用するパワーランピングに関するカウンター、又は、SSB専用のパワーランピングに関するカウンター及びCSI-RSリソース専用のパワーランピングに関するカウンターを設定し；及び／又は
ユーザ装置に、ターゲット受信パワーを計算するためのSSB及びCSI-RSリソースが共用するパラメータ、又は、ターゲット受信パワーを計算するためのSSB専用のパラメータ及びCSI-RSリソース専用のパラメータを設定することを含む、方法。
【０３１１】
（付記43）
付記42に記載の方法であって、
前記ターゲット受信パワーを計算するためのSSB専用のパラメータは以下のパラメータのうちの少なくとも1つを含み、即ち、SSB専用の所定ステップ長、SSB専用のターゲット受信パワー初期値、及びSSB専用のプリアンブルパラメータであり、
前記ターゲット受信パワーを計算するためのCSI-RSリソース専用のパラメータは以下のパラメータのうちの少なくとも1つを含み、即ち、CSI-RSリソース専用の所定ステップ長、CSI-RSリソース専用のターゲット受信パワー初期値、及びCSI-RSリソース専用のプリアンブルパラメータである、方法。
【０３１２】
（付記44）
付記42又は43に記載の方法であって、さらに、
ユーザ装置に、選択されたCSI-RSリソースが変わっているかの確定時にCSI-RSリソースとSSBの疑似コロケーションの関係を考慮するかの規則を設定し；及び／又は
ユーザ装置に、CSI-RSリソースとSSBの疑似コロケーションの関係を考慮した場合の選択されたCSI-RSリソースが変わっているかの確認の規則及び／又はCSI-RSリソースとSSBの疑似コロケーションの関係を設定することを含む、方法。
【０３１３】
（付記45）
付記44に記載の方法であって、
前記疑似コロケーションの関係がRRC専用シグナリングにより設定される、方法。
【０３１４】
（付記46）
付記44に記載の方法であって、
前記疑似コロケーションの関係が測定対象の設定により設定され、及び／又は
前記疑似コロケーションの関係が候補ビームと一緒に設定される、方法。
【０３１５】
（付記47）
付記44に記載の方法であって、
前記CSI-RSリソースとSSBの疑似コロケーションの関係は、
前記CSI-RSリソースが任意のSSBと疑似コロケーションされ；又は、
前記CSI-RSリソースと、すべてのSSBとの間に疑似コロケーションの関係が存在せず；又は、
前記CSI-RSリソースが事前定義又は事前設定された少なくとも1つのSSBと疑似コロケーションされることを含む、方法。
【図１】
2021525487.tif 000003
【図２】
2021525487.tif 000004
【図３】
2021525487.tif 000005
【図４】
2021525487.tif 000006
【図５】
2021525487.tif 000007
【図６】
2021525487.tif 000008
【図７】
2021525487.tif 000009
【図８】
2021525487.tif 000010
【図９】
2021525487.tif 000011
【図１０】
2021525487.tif 000012
【図１１】
2021525487.tif 000013
【図１２】
2021525487.tif 000014
【図１３】
2021525487.tif 000015
【図１４】
2021525487.tif 000016
【図１５】
2021525487.tif 000017
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
パワーを確定する装置であって、
選択された同期信号ブロック（SSB）及びチャネル状態情報参照信号（CSI-RS）のうちの1つの変化状況に基づいて、ターゲット受信パワーを上げるかを確定するための第一確定ユニットを含み、
選択された前記SSB又は選択された前記CSI-RSはランダムアクセスリソースを確定するために用いられ、前記ターゲット受信パワーはランダムアクセスプリアンブルの送信パワーを確定するために用いられる、装置。
【請求項２】
請求項1に記載の装置であって、
選択された前記CSI-RSは前記ランダムアクセスリソースを確定するために用いられ、且つ選択された前記SSB及び選択された前記CSI-RSのうちの1つの変化は、少なくとも、第二CSI-RSを前回のランダムアクセスプリアンブルの送信のために選択したこと、又は、第二SSBを前回のランダムアクセスプリアンブルの送信のために選択したことを含み、又は
選択された前記SSBは前記ランダムアクセスリソースを確定するために用いられ、且つ選択された前記SSB及び選択された前記CSI-RSのうちの1つの変化は、少なくとも、第三CSI-RSを前回のランダムアクセスプリアンブルの送信のために選択したことを含む、装置。
【請求項３】
請求項1に記載の装置であって、
前記第一確定ユニットは、選択されたSSB及びCSI-RSのうちの1つが変わらない場合、前記ターゲット受信パワーを上げると確定する、装置。
【請求項４】
請求項1に記載の装置であって、
前記第一確定ユニットは、
選択されたSSBが変わっている場合、前記ターゲット受信パワーを上げないと確定し、
選択されたSSBが変わっている場合以外の他の場合、前記ターゲット受信パワーを上げると確定する、装置。
【請求項５】
請求項1に記載の装置であって、
前記第一確定ユニットは、
選択されたSSB及びCSI-RSのうちの1つが変わらない場合、前記ターゲット受信パワーを上げると確定し、
選択されたSSB及びCSI-RSのうちの1つが変わらない場合以外の他の場合、前記ターゲット受信パワーを上げないと確定する、装置。
【請求項６】
請求項1に記載の装置であって、
前記第一確定ユニットは、
選択されたSSB及びCSI-RSのうちの1つが変わっている場合、前記ターゲット受信パワーを上げないと確定し、
選択されたSSB及びCSI-RSのうちの1つが変わっている場合以外の他の場合、前記ターゲット受信パワーを上げると確定する、装置。
【請求項７】
請求項1に記載の装置であって、
前記第一確定ユニットは、
選択されたSSBが変わっている又は選択されたCSI-RSと疑似コロケーションされるSSBが変わっている場合、前記ターゲット受信パワーを上げないと確定し、
選択されたSSBが変わっている及び選択されたCSI-RSと疑似コロケーションされるSSBが変わっている場合以外の他の場合、前記ターゲット受信パワーを上げると確定する、装置。
【請求項８】
請求項1に記載の装置であって、
現在に選択されたSSB又はCSI-RSと、前回選択されたSSB又はCSI-RSとの比較結果に基づいて、又は、現在に選択されたSSB又はCSI-RSと、その前に選択されたすべてのSSB及び／又はCSI-RSとの比較結果に基づいて、前記選択されたSSB及びCSI-RSのうちの1つの変化状況を確定するための第二確定ユニットをさらに含む、装置。
【請求項９】
請求項1に記載の装置であって、
前記ターゲット受信パワーを上げると確定した場合、SSB及びCSI-RSが共用する、パワーランピングに関するカウンターを1増やし、又は、SSB専用のパワーランピングに関するカウンター又はCSI-RS専用のパワーランピングに関するカウンターを1増やすための計数ユニットをさらに含む、装置。
【請求項１０】
請求項1に記載の装置であって、
パワーランピングに関するカウンターの値と所定値との差と、所定ステップ長との積、ターゲット受信パワー初期値、及びプリアンブルパラメータに基づいて、前記ターゲット受信パワーを計算するための計算ユニットをさらに含む、装置。
【請求項１１】
請求項10に記載の装置であって、
SSB専用のパワーランピングに関するカウンター及び／又はCSI-RS専用のパワーランピングに関するカウンターを使用する場合、前記所定値は、使用するリソース専用のパワーランピングに関するカウンターの数、SSB専用のパワーランピングに関するカウンターの初期値、及び／又はCSI-RS専用のパワーランピングに関するカウンターの初期値に基づいて確定される、装置。
【請求項１２】
請求項10に記載の装置であって、
前記計算ユニットは、パワーランピングに関するカウンターの値と所定値との差と、SSB又はCSI-RSの専用又は両者の共用の所定ステップ長との積、SSB又はCSI-RSの専用又は両者の共用のターゲット受信パワー初期値、及びSSB又はCSI-RSの専用又は両者の共用のプリアンブルパラメータに基づいて、前記ターゲット受信パワーを計算する、装置。
【請求項１３】
請求項1に記載の装置であって、
空間領域送信フィルターを変えるかに基づいて、前記パワーランピングに関するカウンターのサスペンド指示を送信するかを確定するための第三確定ユニットをさらに含み、
前記第一確定ユニットは、選択されたSSB及びCSI-RSのうちの1つの変化状況と、パワーランピングに関するカウンターのサスペンド指示を受信したかとに基づいて、ターゲット受信パワーを上げるかを確定する、装置。
【請求項１４】
請求項13に記載の装置であって、
送信ユニットをさらに含み、
ランダムアクセスプリアンブルの再送の場合、又は、ランダムアクセスプリアンブルの最初の伝送又は再送の場合、
MAC層がランダムアクセスプリアンブル伝送プロシージャを開始する前に、
前記送信ユニットは、MAC層に、選択されたSSBのインデックス又は選択されたCSI-RSリソースのID又は選択されたCSI-RSリソースと疑似コロケーションされるSSBのインデックスを物理層へ送信させ、又は
前記送信ユニットは、MAC層に、選択されたSSB又はCSI-RSに対応するランダムアクセスリソース及びランダムアクセスプリアンブルのインデックスを物理層へ送信させる、装置。
【請求項１５】
パワーを確定する装置であって、
SSB及びCSI-RSが共用するパワーランピングに関するカウンター、又は、SSB専用のパワーランピングに関するカウンター及びCSI-RS専用のパワーランピングに関するカウンターをユーザ装置に設定するための第一設定ユニット、及び／又は
ターゲット受信パワーを計算するためのSSB及びCSI-RSが共用するパラメータ、又は、ターゲット受信パワーを計算するためのSSB専用のパラメータ及びCSI-RS専用のパラメータをユーザ装置に設定するための第二設定ユニットを含む、装置。
【請求項１６】
請求項15に記載の装置であって、
前記ターゲット受信パワーを計算するためのSSB専用のパラメータは、SSB専用の所定ステップ長、SSB専用のターゲット受信パワー初期値、及びSSB専用のプリアンブルパラメータのうちの少なくとも1つを含み、
前記ターゲット受信パワーを計算するためのCSI-RS専用のパラメータは、CSI-RS専用の所定ステップ長、CSI-RS専用のターゲット受信パワー初期値、及びCSI-RS専用のプリアンブルパラメータのうちの少なくとも1つを含む、装置。
【請求項１７】
請求項15に記載の装置であって、
選択されたCSI-RSが変わっているかの確定時にCSI-RSとSSBとの疑似コロケーションの関係を考慮するかのルールをユーザ装置に設定し、及び／又は、CSI-RSとSSBとの疑似コロケーションの関係を考慮した場合の、選択されたCSI-RSが変わっているかの確定のルール及び／又はCSI-RSとSSBとの疑似コロケーションの関係をユーザ装置に設定するための第三設定ユニットをさらに含む、装置。
【請求項１８】
請求項17に記載の装置であって、
前記疑似コロケーションの関係がRRC専用シグナリングにより設定される、装置。
【請求項１９】
請求項17に記載の装置であって、
前記疑似コロケーションの関係が測定対象の設定により設定され、及び／又は
前記疑似コロケーションの関係が候補ビームと一緒に設定される、装置。
【請求項２０】
請求項17に記載の装置であって、
CSI-RSとSSBとの疑似コロケーションの関係は、
前記CSI-RSが任意のSSBと疑似コロケーションされ、
前記CSI-RSと、すべてのSSBとの間に疑似コロケーションの関係が存在せず、又は
前記CSI-RSが事前定義又は事前設定の少なくとも1つのSSBと疑似コロケーションされることを含む、装置。
【請求項２１】
請求項1に記載のパワーを確定する装置を含むユーザ装置。
【国際調査報告】
2021525487.tif 000018
2021525487.tif 000019
2021525487.tif 000020
2021525487.tif 000021